(57)【要約】  ユーザ機器(UE)が、近隣セルの同期信号を監視する間、サブキャリア間隔値を構成できるようにする技法について、本明細書で説明する。いくつかのワイヤレス通信システムでは、所与の無線周波数スペクトル帯域中の同期信号は、複数の異なるサブキャリア間隔のうちの1つを使って送信され得る。いくつかのケースでは、基地局などのネットワークエンティティが、セルによって同期信号の特定のセットを送信するのに使われるサブキャリア間隔を示す指示を、UEへ送信し得る。いくつかのケースでは、UEは、UEによってローカルに記憶された、サブキャリア間隔のデータベースに基づいて、サブキャリア間隔を選択し得る。いくつかのケースでは、UEは、所定の構成に基づいてサブキャリア間隔を選択してよい。
2020533864.tif 000002
【特許請求の範囲】
【請求項１】
基地局におけるワイヤレス通信のための方法であって、
前記基地局に接続されたユーザ機器(UE)向けの周波数内および周波数間探索ならびに測定手順を開始するステップと、
前記周波数内および周波数間探索ならびに測定手順を開始したことに少なくとも部分的に基づいて、近隣セルによって送信された同期信号のサブキャリア間隔を識別するステップと、
前記同期信号の前記サブキャリア間隔の指示を前記UEへ送信するステップとを含む方法。
【請求項２】
前記周波数内および周波数間探索ならびに測定手順中に、前記UEによって監視されるべき1つまたは複数の無線周波数スペクトル帯域リソースを識別するステップであって、前記サブキャリア間隔を識別することは、前記1つまたは複数の無線周波数スペクトル帯域リソースを識別することに少なくとも部分的に基づく、ステップをさらに含む、請求項1に記載の方法。
【請求項３】
前記周波数内および周波数間探索ならびに測定手順中に、前記UEによって監視されるべき前記近隣セルを識別するステップであって、前記サブキャリア間隔を識別することは、前記近隣セルを識別することに少なくとも部分的に基づく、ステップをさらに含む、請求項1に記載の方法。
【請求項４】
前記識別されたサブキャリア間隔は、無線周波数スペクトル帯域リソースの所与のセットについての2つの可能サブキャリア間隔のセットから選択される、請求項1に記載の方法。
【請求項５】
サブ6無線周波数スペクトル帯域中では、前記同期信号向けの前記サブキャリア間隔は15キロヘルツまたは30キロヘルツである、請求項4に記載の方法。
【請求項６】
ミリメートル波(mmW)無線周波数スペクトル帯域中では、前記同期信号向けの前記サブキャリア間隔は120キロヘルツまたは240キロヘルツである、請求項4に記載の方法。
【請求項７】
前記基地局の近傍にある複数のセルによって送信された同期信号の複数のサブキャリア間隔を識別するステップと、
前記複数のサブキャリア間隔を記憶するステップであって、前記近隣セルの前記サブキャリア間隔を識別することは、前記複数のサブキャリア間隔を記憶することに少なくとも部分的に基づく、ステップとをさらに含む、請求項1に記載の方法。
【請求項８】
前記指示を送信したことに少なくとも部分的に基づいて、前記UEから測定報告を受信するステップをさらに含む、請求項1に記載の方法。
【請求項９】
前記指示は、前記基地局によって前記UEへ送信される測定構成メッセージの一部である、請求項1に記載の方法。
【請求項１０】
前記指示は1ビットフィールドである、請求項1に記載の方法。
【請求項１１】
前記指示は無線リソース制御(RRC)メッセージの一部である、請求項1に記載の方法。
【請求項１２】
ユーザ機器(UE)におけるワイヤレス通信のための方法であって、
周波数内および周波数間探索ならびに測定手順中に、前記UEによって監視されるべき1つまたは複数の無線周波数スペクトル帯域リソースを識別するステップと、
前記1つまたは複数の無線周波数スペクトル帯域リソースに関連付けられた、近隣セルによって送信された同期信号の複数のサブキャリア間隔を識別するステップと、
前記複数のサブキャリア間隔の各々を使って、前記近隣セルの前記同期信号を監視するステップとを含む方法。
【請求項１３】
前記複数のサブキャリア間隔についての探索順序を判断するステップであって、前記同期信号を監視することは、前記探索順序で第1のサブキャリア間隔を使って前記同期信号を監視すること、および前記第1のサブキャリア間隔を使った後、前記探索順序で第2のサブキャリア間隔を使って前記同期信号を監視することを含む、ステップをさらに含む、請求項12に記載の方法。
【請求項１４】
特定の同期信号に関連付けられたサブキャリア間隔を示す指示を、基地局から受信するステップであって、前記探索順序を判断することは、前記指示を受信することに少なくとも部分的に基づく、ステップをさらに含む、請求項13に記載の方法。
【請求項１５】
前記UEによって記憶された、サブキャリア間隔のデータベースを使って、前記複数のサブキャリア間隔から前記第1のサブキャリア間隔を識別するステップであって、前記探索順序を判断することは、前記UEによって記憶された、サブキャリア間隔の前記データベースを使うことに少なくとも部分的に基づく、ステップをさらに含む、請求項13に記載の方法。
【請求項１６】
事前構成された順序に基づいて、前記複数のサブキャリア間隔から前記第1のサブキャリア間隔を識別するステップであって、前記探索順序を判断することは、前記事前構成された順序を使うことに少なくとも部分的に基づく、ステップをさらに含む、請求項13に記載の方法。
【請求項１７】
前記複数のサブキャリア間隔の各々を使って前記同期信号を監視したことに少なくとも部分的に基づいて、基地局へ測定報告を送信するステップをさらに含む、請求項12に記載の方法。
【請求項１８】
前記UEに接続されたセルによって送信された特定の同期信号のサブキャリア間隔を識別するステップと、
前記セルの前記サブキャリア間隔を記憶するステップであって、前記近隣セルの前記複数のサブキャリア間隔を識別することは、前記サブキャリア間隔を記憶することに少なくとも部分的に基づく、ステップをさらに含む、請求項12に記載の方法。
【請求項１９】
前記複数のサブキャリア間隔は、無線周波数スペクトル帯域リソースの所与のセットについての2つの可能サブキャリア間隔のセットを含む、請求項12に記載の方法。
【請求項２０】
サブ6無線周波数スペクトル帯域中では、前記同期信号向けの前記複数のサブキャリア間隔は15キロヘルツまたは30キロヘルツである、請求項19に記載の方法。
【請求項２１】
ミリメートル波(mmW)無線周波数スペクトル帯域中では、前記同期信号向けの前記複数のサブキャリア間隔は120キロヘルツまたは240キロヘルツである、請求項19に記載の方法。
【請求項２２】
前記複数のサブキャリア間隔の各々を監視することは、特定の同期信号に関連付けられたサブキャリア間隔についての指示を、基地局から受信できなかったことに少なくとも部分的に基づく、請求項12に記載の方法。
【請求項２３】
ユーザ機器(UE)におけるワイヤレス通信のための方法であって、
周波数内および周波数間探索ならびに測定手順を開始するステップと、
前記周波数内および周波数間探索ならびに測定手順を開始したことに少なくとも部分的に基づいて、同期信号の複数の可能サブキャリア間隔から、近隣セルによって送信された同期信号のサブキャリア間隔を識別するステップと、
前記識別されたサブキャリア間隔を使って、前記近隣セルの前記同期信号を監視するステップとを含む方法。
【請求項２４】
前記同期信号の前記サブキャリア間隔の指示を基地局から受信するステップであって、前記サブキャリア間隔を識別することは、前記指示を受信することに少なくとも部分的に基づく、ステップをさらに含む、請求項23に記載の方法。
【請求項２５】
前記周波数内および周波数間探索ならびに測定手順中に、監視されるべき1つまたは複数の無線周波数スペクトル帯域リソースを識別するステップであって、前記サブキャリア間隔を識別することは、前記1つまたは複数の無線周波数スペクトル帯域リソースを識別することに少なくとも部分的に基づく、ステップをさらに含む、請求項23に記載の方法。
【請求項２６】
前記周波数内および周波数間探索ならびに測定手順中に、監視されるべき前記近隣セルを識別するステップであって、前記サブキャリア間隔を識別することは、前記近隣セルを識別することに少なくとも部分的に基づく、ステップをさらに含む、請求項23に記載の方法。
【請求項２７】
前記UE上に記憶された、サブキャリア間隔のデータベースを探索するステップであって、前記サブキャリア間隔を識別することは、前記近隣セルを識別することに少なくとも部分的に基づく、ステップをさらに含む、請求項23に記載の方法。
【請求項２８】
基地局におけるワイヤレス通信のための装置であって、
前記基地局に接続されたユーザ機器(UE)向けの周波数内および周波数間探索ならびに測定手順を開始するための手段と、
前記周波数内および周波数間探索ならびに測定手順を開始したことに少なくとも部分的に基づいて、近隣セルによって送信された同期信号のサブキャリア間隔を識別するための手段と、
前記同期信号の前記サブキャリア間隔の指示を前記UEへ送信するための手段とを備える装置。
【請求項２９】
前記周波数内および周波数間探索ならびに測定手順中に、前記UEによって監視されるべき1つまたは複数の無線周波数スペクトル帯域リソースを識別するための手段であって、前記サブキャリア間隔を識別することは、前記1つまたは複数の無線周波数スペクトル帯域リソースを識別することに少なくとも部分的に基づく、手段をさらに備える、請求項28に記載の装置。
【請求項３０】
前記周波数内および周波数間探索ならびに測定手順中に、前記UEによって監視されるべき前記近隣セルを識別するための手段であって、前記サブキャリア間隔を識別することは、前記近隣セルを識別することに少なくとも部分的に基づく、手段をさらに備える、請求項28に記載の装置。
【請求項３１】
前記識別されたサブキャリア間隔は、無線周波数スペクトル帯域リソースの所与のセットについての2つの可能サブキャリア間隔のセットから選択される、請求項28に記載の装置。
【請求項３２】
サブ6無線周波数スペクトル帯域中では、前記同期信号向けの前記サブキャリア間隔は15キロヘルツまたは30キロヘルツである、請求項31に記載の装置。
【請求項３３】
ミリメートル波(mmW)無線周波数スペクトル帯域中では、前記同期信号向けの前記サブキャリア間隔は120キロヘルツまたは240キロヘルツである、請求項31に記載の装置。
【請求項３４】
前記基地局の近傍にある複数のセルによって送信された同期信号の複数のサブキャリア間隔を識別するための手段と、
前記複数のサブキャリア間隔を記憶するための手段であって、前記近隣セルの前記サブキャリア間隔を識別することは、前記複数のサブキャリア間隔を記憶することに少なくとも部分的に基づく、手段とをさらに備える、請求項28に記載の装置。
【請求項３５】
前記指示を送信したことに少なくとも部分的に基づいて、前記UEから測定報告を受信するための手段をさらに備える、請求項28に記載の装置。
【請求項３６】
前記指示は、前記基地局によって前記UEへ送信される測定構成メッセージの一部である、請求項28に記載の装置。
【請求項３７】
前記指示は1ビットフィールドである、請求項28に記載の装置。
【請求項３８】
前記指示は無線リソース制御(RRC)メッセージの一部である、請求項28に記載の装置。
【請求項３９】
ユーザ機器(UE)におけるワイヤレス通信のための装置であって、
周波数内および周波数間探索ならびに測定手順中に、前記UEによって監視されるべき1つまたは複数の無線周波数スペクトル帯域リソースを識別するための手段と、
前記1つまたは複数の無線周波数スペクトル帯域リソースに関連付けられた、近隣セルによって送信された同期信号の複数のサブキャリア間隔を識別するための手段と、
前記複数のサブキャリア間隔の各々を使って、前記近隣セルの前記同期信号を監視するための手段とを備える装置。
【請求項４０】
前記複数のサブキャリア間隔についての探索順序を判断するための手段をさらに備え、
前記同期信号を監視するための前記手段は、前記探索順序で第1のサブキャリア間隔を使って前記同期信号を監視するための手段、および前記第1のサブキャリア間隔を使った後、前記探索順序で第2のサブキャリア間隔を使って前記同期信号を監視するための手段を備える、請求項39に記載の装置。
【請求項４１】
特定の同期信号に関連付けられたサブキャリア間隔を示す指示を、基地局から受信するための手段であって、前記探索順序を判断することは、前記指示を受信することに少なくとも部分的に基づく、手段をさらに備える、請求項40に記載の装置。
【請求項４２】
前記UEによって記憶された、サブキャリア間隔のデータベースを使って、前記複数のサブキャリア間隔から前記第1のサブキャリア間隔を識別するための手段であって、前記探索順序を判断することは、前記UEによって記憶された、サブキャリア間隔の前記データベースを使うことに少なくとも部分的に基づく、手段をさらに備える、請求項40に記載の装置。
【請求項４３】
事前構成された順序に基づいて、前記複数のサブキャリア間隔から前記第1のサブキャリア間隔を識別するための手段であって、前記探索順序を判断することは、前記事前構成された順序を使うことに少なくとも部分的に基づく、手段をさらに備える、請求項40に記載の装置。
【請求項４４】
前記複数のサブキャリア間隔の各々を使って前記同期信号を監視したことに少なくとも部分的に基づいて、基地局へ測定報告を送信するための手段をさらに備える、請求項39に記載の装置。
【請求項４５】
前記UEに接続されたセルによって送信された特定の同期信号のサブキャリア間隔を識別するための手段と、
前記セルの前記サブキャリア間隔を記憶するための手段であって、前記近隣セルの前記複数のサブキャリア間隔を識別することは、前記サブキャリア間隔を記憶することに少なくとも部分的に基づく、手段とをさらに備える、請求項39に記載の装置。
【請求項４６】
前記複数のサブキャリア間隔は、無線周波数スペクトル帯域リソースの所与のセットについての2つの可能サブキャリア間隔のセットを含む、請求項39に記載の装置。
【請求項４７】
サブ6無線周波数スペクトル帯域中では、前記同期信号向けの前記複数のサブキャリア間隔は15キロヘルツまたは30キロヘルツである、請求項46に記載の装置。
【請求項４８】
ミリメートル波(mmW)無線周波数スペクトル帯域中では、前記同期信号向けの前記複数のサブキャリア間隔は120キロヘルツまたは240キロヘルツである、請求項46に記載の装置。
【請求項４９】
前記複数のサブキャリア間隔の各々を監視するための手段は、特定の同期信号に関連付けられたサブキャリア間隔についての指示を、基地局から受信できなかったことに少なくとも部分的に基づく、請求項39に記載の装置。
【請求項５０】
ユーザ機器(UE)におけるワイヤレス通信のための装置であって、
周波数内および周波数間探索ならびに測定手順を開始するための手段と、
前記周波数内および周波数間探索ならびに測定手順を開始したことに少なくとも部分的に基づいて、同期信号の複数の可能サブキャリア間隔から、近隣セルによって送信された同期信号のサブキャリア間隔を識別するための手段と、
前記識別されたサブキャリア間隔を使って、前記近隣セルの前記同期信号を監視するための手段とを備える装置。
【請求項５１】
前記同期信号の前記サブキャリア間隔の指示を基地局から受信するための手段であって、前記サブキャリア間隔を識別することは、前記指示を受信することに少なくとも部分的に基づく、手段をさらに備える、請求項50に記載の装置。
【請求項５２】
前記周波数内および周波数間探索ならびに測定手順中に、監視されるべき1つまたは複数の無線周波数スペクトル帯域リソースを識別するための手段であって、前記サブキャリア間隔を識別することは、前記1つまたは複数の無線周波数スペクトル帯域リソースを識別することに少なくとも部分的に基づく、手段をさらに備える、請求項50に記載の装置。
【請求項５３】
前記周波数内および周波数間探索ならびに測定手順中に、監視されるべき前記近隣セルを識別するための手段であって、前記サブキャリア間隔を識別することは、前記近隣セルを識別することに少なくとも部分的に基づく、手段をさらに備える、請求項50に記載の装置。
【請求項５４】
前記UE上に記憶された、サブキャリア間隔のデータベースを探索するための手段であって、前記サブキャリア間隔を識別することは、前記近隣セルを識別することに少なくとも部分的に基づく、手段をさらに備える、請求項50に記載の装置。
【発明の詳細な説明】
【技術分野】
【０００１】
相互参照
本特許出願は、各々が本出願の譲受人に譲渡された、2018年9月10日に出願された「Techniques for Selecting Subcarrier Spacing for Signal Detection」と題するVazeらによる米国特許出願第16/126,832号、および2017年9月11日に出願された「Techniques for Selecting Subcarrier Spacing for Signal Detection」と題するVazeらによる米国仮特許出願第62/556,967号の優先権を主張する。
【０００２】
以下は概して、ワイヤレス通信に関し、より詳細には、信号検出のためのサブキャリア間隔を選択するための技法に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、ロングタームエボリューション(LTE)システムまたはLTEアドバンスト(LTE-A)システムなどの第4世代(4G)システム、および新無線(NR)システムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。ワイヤレス多元接続通信システムは、場合によってはユーザ機器(UE)と呼ばれることがある複数の通信デバイスのための通信を各々が同時にサポートする、いくつかの基地局またはネットワークアクセスノードを含んでよい。
【０００４】
いくつかのワイヤレス通信システムは、所与の周波数帯域を使って通信されるメッセージ用に、複数の可能サブキャリア間隔をサポートすることができる。たとえば、所与の周波数帯域中の同期信号が、複数の可能サブキャリア間隔のうちの1つを使って送信され得る。
【発明の概要】
【課題を解決するための手段】
【０００５】
説明する技法は、信号検出のためのサブキャリア間隔を選択するための技法をサポートする、改良された方法、システム、デバイス、または装置に関する。概して、説明する技法は、ユーザ機器(UE)が、近隣セルの同期信号を監視する間に、サブキャリア間隔値を構成できるようにする。いくつかのワイヤレス通信システムでは、所与の無線周波数スペクトル帯域中の同期信号は、複数の異なるサブキャリア間隔のうちの1つを使って送信され得る。いくつかのケースでは、基地局などのネットワークエンティティが、セルによって同期信号の特定のセットを送信するのに使われるサブキャリア間隔を示す指示を、UEへ送信し得る。いくつかのケースでは、UEは、UEによってローカルに記憶された、サブキャリア間隔のデータベースに基づいて、サブキャリア間隔を選択し得る。いくつかのケースでは、UEは、所定の構成に基づいてサブキャリア間隔を選択してよい。
【０００６】
ワイヤレス通信の方法について説明する。この方法は、基地局に接続されたUE向けの周波数内および周波数間探索ならびに測定手順を開始するステップと、周波数内および周波数間探索ならびに測定手順を開始したことに少なくとも部分的に基づいて、近隣セルによって送信された同期信号のサブキャリア間隔を識別するステップと、同期信号のサブキャリア間隔の指示をUEへ送信するステップとを含み得る。
【０００７】
ワイヤレス通信のための装置について説明する。この装置は、基地局に接続されたUE向けの周波数内および周波数間探索ならびに測定手順を開始するための手段と、周波数内および周波数間探索ならびに測定手順を開始したことに少なくとも部分的に基づいて、近隣セルによって送信された同期信号のサブキャリア間隔を識別するための手段と、同期信号のサブキャリア間隔の指示をUEへ送信するための手段とを含み得る。
【０００８】
ワイヤレス通信のための別の装置について説明する。この装置は、プロセッサ、プロセッサと電子通信しているメモリ、およびメモリに記憶された命令を含み得る。命令は、プロセッサに、基地局に接続されたUE向けの周波数内および周波数間探索ならびに測定手順を開始させ、周波数内および周波数間探索ならびに測定手順を開始したことに少なくとも部分的に基づいて、近隣セルによって送信された同期信号のサブキャリア間隔を識別させ、同期信号のサブキャリア間隔の指示をUEへ送信させるように動作可能であり得る。
【０００９】
ワイヤレス通信のための非一時的コンピュータ可読媒体について説明する。非一時的コンピュータ可読媒体は、プロセッサに、基地局に接続されたUE向けの周波数内および周波数間探索ならびに測定手順を開始させ、周波数内および周波数間探索ならびに測定手順を開始したことに少なくとも部分的に基づいて、近隣セルによって送信された同期信号のサブキャリア間隔を識別させ、同期信号のサブキャリア間隔の指示をUEへ送信させるように動作可能な命令を含み得る。
【００１０】
本明細書で説明する方法、装置、および非一時的コンピュータ可読媒体のいくつかの例は、周波数内および周波数間探索ならびに測定手順中に、UEによって監視されるべき1つまたは複数の無線周波数スペクトル帯域リソースを識別するためのプロセス、特徴、手段、または命令をさらに含むことができ、ここで、サブキャリア間隔を識別することは、1つまたは複数の無線周波数スペクトル帯域リソースを識別することに少なくとも部分的に基づき得る。
【００１１】
本明細書で説明する方法、装置、および非一時的コンピュータ可読媒体のいくつかの例は、周波数内および周波数間探索ならびに測定手順中に、UEによって監視されるべき近隣セルを識別するためのプロセス、特徴、手段、または命令をさらに含むことができ、ここで、サブキャリア間隔を識別することは、近隣セルを識別することに少なくとも部分的に基づき得る。
【００１２】
本明細書で説明する方法、装置、および非一時的コンピュータ可読媒体のいくつかの例では、識別されたサブキャリア間隔は、無線周波数スペクトル帯域リソースの所与のセットについての2つの可能サブキャリア間隔のセットから選択され得る。
【００１３】
本明細書で説明する方法、装置、および非一時的コンピュータ可読媒体のいくつかの例では、サブ6無線周波数スペクトル帯域中では、同期信号向けのサブキャリア間隔は15キロヘルツまたは30キロヘルツであってよい。
【００１４】
本明細書で説明する方法、装置、および非一時的コンピュータ可読媒体のいくつかの例では、ミリメートル波(mmW)無線周波数スペクトル帯域中では、同期信号向けのサブキャリア間隔は120キロヘルツまたは240キロヘルツであってよい。
【００１５】
本明細書で説明する方法、装置、および非一時的コンピュータ可読媒体のいくつかの例は、基地局の近傍にある複数のセルによって送信された同期信号の複数のサブキャリア間隔を識別するためのプロセス、特徴、手段、または命令をさらに含み得る。本明細書で説明する方法、装置、および非一時的コンピュータ可読媒体のいくつかの例は、複数のサブキャリア間隔を記憶するためのプロセス、特徴、手段、または命令をさらに含むことができ、ここで、近隣セルのサブキャリア間隔を識別することは、複数のサブキャリア間隔を記憶することに少なくとも部分的に基づき得る。
【００１６】
本明細書で説明する方法、装置、および非一時的コンピュータ可読媒体のいくつかの例は、指示を送信したことに少なくとも部分的に基づいて、UEから測定報告を受信するためのプロセス、特徴、手段、または命令をさらに含み得る。
【００１７】
本明細書で説明する方法、装置、および非一時的コンピュータ可読媒体のいくつかの例では、指示は、基地局によってUEへ送信される測定構成メッセージの一部であってよい。
【００１８】
本明細書で説明する方法、装置、および非一時的コンピュータ可読媒体のいくつかの例では、指示は1ビットフィールドであってよい。
【００１９】
本明細書で説明する方法、装置、および非一時的コンピュータ可読媒体のいくつかの例では、指示は無線リソース制御(RRC)メッセージの一部であってよい。
【００２０】
ワイヤレス通信の方法について説明する。この方法は、周波数内および周波数間探索ならびに測定手順中に、UEによって監視されるべき1つまたは複数の無線周波数スペクトル帯域リソースを識別するステップと、1つまたは複数の無線周波数スペクトル帯域リソースに関連付けられた、近隣セルによって送信された同期信号の複数のサブキャリア間隔を識別するステップと、複数のサブキャリア間隔の各々を使って、近隣セルの同期信号を監視するステップとを含み得る。
【００２１】
ワイヤレス通信のための装置について説明する。この装置は、周波数内および周波数間探索ならびに測定手順中に、UEによって監視されるべき1つまたは複数の無線周波数スペクトル帯域リソースを識別するための手段と、1つまたは複数の無線周波数スペクトル帯域リソースに関連付けられた、近隣セルによって送信された同期信号の複数のサブキャリア間隔を識別するための手段と、複数のサブキャリア間隔の各々を使って、近隣セルの同期信号を監視するための手段とを含み得る。
【００２２】
ワイヤレス通信のための別の装置について説明する。この装置は、プロセッサ、プロセッサと電子通信しているメモリ、およびメモリに記憶された命令を含み得る。命令は、プロセッサに、周波数内および周波数間探索ならびに測定手順中に、UEによって監視されるべき1つまたは複数の無線周波数スペクトル帯域リソースを識別させ、1つまたは複数の無線周波数スペクトル帯域リソースに関連付けられた、近隣セルによって送信された同期信号の複数のサブキャリア間隔を識別させ、複数のサブキャリア間隔の各々を使って、近隣セルの同期信号を監視させるように動作可能であり得る。
【００２３】
ワイヤレス通信のための非一時的コンピュータ可読媒体について説明する。非一時的コンピュータ可読媒体は、プロセッサに、周波数内および周波数間探索ならびに測定手順中に、UEによって監視されるべき1つまたは複数の無線周波数スペクトル帯域リソースを識別させ、1つまたは複数の無線周波数スペクトル帯域リソースに関連付けられた、近隣セルによって送信された同期信号の複数のサブキャリア間隔を識別させ、複数のサブキャリア間隔の各々を使って、近隣セルの同期信号を監視させるように動作可能な命令を含み得る。
【００２４】
本明細書で説明する方法、装置、および非一時的コンピュータ可読媒体のいくつかの例は、複数のサブキャリア間隔についての探索順序を判断するためのプロセス、特徴、手段、または命令をさらに含むことができ、ここで、同期信号を監視することは、探索順序で第1のサブキャリア間隔を使って同期信号を監視することと、第1のサブキャリア間隔を使った後、探索順序で第2のサブキャリア間隔を使って同期信号を監視することとを含む。
【００２５】
本明細書で説明する方法、装置、および非一時的コンピュータ可読媒体のいくつかの例は、特定の同期信号に関連付けられたサブキャリア間隔を示す指示を、基地局から受信するためのプロセス、特徴、手段、または命令をさらに含むことができ、ここで、探索順序を判断することは、指示を受信することに少なくとも部分的に基づき得る。
【００２６】
本明細書で説明する方法、装置、および非一時的コンピュータ可読媒体のいくつかの例は、UEによって記憶された、サブキャリア間隔のデータベースを使って、複数のサブキャリア間隔から第1のサブキャリア間隔を識別するためのプロセス、特徴、手段、または命令をさらに含むことができ、ここで、探索順序を判断することは、UEによって記憶された、サブキャリア間隔のデータベースを使うことに少なくとも部分的に基づき得る。
【００２７】
本明細書で説明する方法、装置、および非一時的コンピュータ可読媒体のいくつかの例は、事前構成された順序に基づいて、複数のサブキャリア間隔から第1のサブキャリア間隔を識別するためのプロセス、特徴、手段、または命令をさらに含むことができ、ここで、探索順序を判断することは、事前構成された順序を使うことに少なくとも部分的に基づき得る。
【００２８】
本明細書で説明する方法、装置、および非一時的コンピュータ可読媒体のいくつかの例は、複数のサブキャリア間隔の各々を使って同期信号を監視したことに少なくとも部分的に基づいて、基地局へ測定報告を送信するためのプロセス、特徴、手段、または命令をさらに含み得る。
【００２９】
本明細書で説明する方法、装置、および非一時的コンピュータ可読媒体のいくつかの例は、UEに接続されたセルによって送信された特定の同期信号のサブキャリア間隔を識別するためのプロセス、特徴、手段、または命令をさらに含み得る。本明細書で説明する方法、装置、および非一時的コンピュータ可読媒体のいくつかの例は、セルのサブキャリア間隔を記憶するためのプロセス、特徴、手段、または命令をさらに含むことができ、ここで、近隣セルの複数のサブキャリア間隔を識別することは、サブキャリア間隔を記憶することに少なくとも部分的に基づき得る。
【００３０】
本明細書で説明する方法、装置、および非一時的コンピュータ可読媒体のいくつかの例では、複数のサブキャリア間隔は、無線周波数スペクトル帯域リソースの所与のセットについての2つの可能サブキャリア間隔のセットを含む。
【００３１】
本明細書で説明する方法、装置、および非一時的コンピュータ可読媒体のいくつかの例では、サブ6無線周波数スペクトル帯域中では、同期信号向けの複数のサブキャリア間隔は15キロヘルツまたは30キロヘルツであってよい。
【００３２】
本明細書で説明する方法、装置、および非一時的コンピュータ可読媒体のいくつかの例では、mmW無線周波数スペクトル帯域中では、同期信号向けの複数のサブキャリア間隔は120キロヘルツまたは240キロヘルツであってよい。
【００３３】
本明細書で説明する方法、装置、および非一時的コンピュータ可読媒体のいくつかの例では、複数のサブキャリア間隔の各々を監視することは、特定の同期信号に関連付けられたサブキャリア間隔についての指示を、基地局から受信できなかったことに少なくとも部分的に基づき得る。
【００３４】
ワイヤレス通信の方法について説明する。この方法は、周波数内および周波数間探索ならびに測定手順を開始するステップと、周波数内および周波数間探索ならびに測定手順を開始したことに少なくとも部分的に基づいて、同期信号の複数の可能サブキャリア間隔から、近隣セルによって送信された同期信号のサブキャリア間隔を識別するステップと、識別されたサブキャリア間隔を使って、近隣セルの同期信号を監視するステップとを含み得る。
【００３５】
ワイヤレス通信のための装置について説明する。この装置は、周波数内および周波数間探索ならびに測定手順を開始するための手段と、周波数内および周波数間探索ならびに測定手順を開始したことに少なくとも部分的に基づいて、同期信号の複数の可能サブキャリア間隔から、近隣セルによって送信された同期信号のサブキャリア間隔を識別するための手段と、識別されたサブキャリア間隔を使って、近隣セルの同期信号を監視するための手段とを含み得る。
【００３６】
ワイヤレス通信のための別の装置について説明する。この装置は、プロセッサ、プロセッサと電子通信しているメモリ、およびメモリに記憶された命令を含み得る。命令は、プロセッサに、周波数内および周波数間探索ならびに測定手順を開始させ、周波数内および周波数間探索ならびに測定手順を開始したことに少なくとも部分的に基づいて、同期信号の複数の可能サブキャリア間隔から、近隣セルによって送信された同期信号のサブキャリア間隔を識別させ、識別されたサブキャリア間隔を使って、近隣セルの同期信号を監視させるように動作可能であり得る。
【００３７】
ワイヤレス通信のための非一時的コンピュータ可読媒体について説明する。非一時的コンピュータ可読媒体は、プロセッサに、周波数内および周波数間探索ならびに測定手順を開始させ、周波数内および周波数間探索ならびに測定手順を開始したことに少なくとも部分的に基づいて、同期信号の複数の可能サブキャリア間隔から、近隣セルによって送信された同期信号のサブキャリア間隔を識別させ、識別されたサブキャリア間隔を使って、近隣セルの同期信号を監視させるように動作可能な命令を含み得る。
【００３８】
本明細書で説明する方法、装置、および非一時的コンピュータ可読媒体のいくつかの例は、同期信号のサブキャリア間隔の指示を基地局から受信するためのプロセス、特徴、手段、または命令をさらに含むことができ、ここで、サブキャリア間隔を識別することは、指示を受信することに少なくとも部分的に基づき得る。
【００３９】
本明細書で説明する方法、装置、および非一時的コンピュータ可読媒体のいくつかの例は、周波数内および周波数間探索ならびに測定手順中に、監視されるべき1つまたは複数の無線周波数スペクトル帯域リソースを識別するためのプロセス、特徴、手段、または命令をさらに含むことができ、ここで、サブキャリア間隔を識別することは、1つまたは複数の無線周波数スペクトル帯域リソースを識別することに少なくとも部分的に基づき得る。
【００４０】
本明細書で説明する方法、装置、および非一時的コンピュータ可読媒体のいくつかの例は、周波数内および周波数間探索ならびに測定手順中に、監視されるべき近隣セルを識別するためのプロセス、特徴、手段、または命令をさらに含むことができ、ここで、サブキャリア間隔を識別することは、近隣セルを識別することに少なくとも部分的に基づき得る。
【００４１】
本明細書で説明する方法、装置、および非一時的コンピュータ可読媒体のいくつかの例は、UE上に記憶された、サブキャリア間隔のデータベースを探索するためのプロセス、特徴、手段、または命令をさらに含むことができ、ここで、サブキャリア間隔を識別することは、近隣セルを識別することに少なくとも部分的に基づき得る。
【図面の簡単な説明】
【００４２】
【図１】本開示の態様による、信号検出のためのサブキャリア間隔を選択するための技法をサポートする、ワイヤレス通信のためのシステムの例を示す図である。
【図２】本開示の態様による、信号検出のためのサブキャリア間隔を選択するための技法をサポートするワイヤレス通信システムの例を示す図である。
【図３】本開示の態様による、信号検出のためのサブキャリア間隔を選択するための技法をサポートする通信方式の例を示す図である。
【図４】本開示の態様による、信号検出のためのサブキャリア間隔を選択するための技法をサポートする通信方式の例を示す図である。
【図５】本開示の態様による、信号検出のためのサブキャリア間隔を選択するための技法をサポートする通信方式の例を示す図である。
【図６】本開示の態様による、信号検出のためのサブキャリア間隔を選択するための技法をサポートするデバイスのブロック図である。
【図７】本開示の態様による、信号検出のためのサブキャリア間隔を選択するための技法をサポートするデバイスのブロック図である。
【図８】本開示の態様による、信号検出のためのサブキャリア間隔を選択するための技法をサポートするデバイスのブロック図である。
【図９】本開示の態様による、信号検出のためのサブキャリア間隔を選択するための技法をサポートする基地局を含むシステムのブロック図である。
【図１０】本開示の態様による、信号検出のためのサブキャリア間隔を選択するための技法をサポートするデバイスのブロック図である。
【図１１】本開示の態様による、信号検出のためのサブキャリア間隔を選択するための技法をサポートするデバイスのブロック図である。
【図１２】本開示の態様による、信号検出のためのサブキャリア間隔を選択するための技法をサポートするデバイスのブロック図である。
【図１３】本開示の態様による、信号検出のためのサブキャリア間隔を選択するための技法をサポートするUEを含むシステムのブロック図である。
【図１４】本開示の態様による、信号検出のためのサブキャリア間隔を選択するための技法のための方法を示す図である。
【図１５】本開示の態様による、信号検出のためのサブキャリア間隔を選択するための技法のための方法を示す図である。
【図１６】本開示の態様による、信号検出のためのサブキャリア間隔を選択するための技法のための方法を示す図である。
【発明を実施するための形態】
【００４３】
いくつかのワイヤレス通信システムでは、同期信号は、複数のサブキャリア間隔のうちの1つを使って送信され得る。複数の可能サブキャリア間隔は、同期信号を送信するのに使われる、送信セルおよび/または無線周波数スペクトル帯域リソースに基づき得る。たとえば、サブ6周波数帯域中では、セルが、15kHzサブキャリア間隔または30kHzサブキャリア間隔を使って同期信号を送信し得る。ミリメートル波(mmW)周波数帯域中では、セルは、120kHzサブキャリア間隔または240kHzサブキャリア間隔を使って同期信号を送信し得る。信号の受信および復号に成功するために、受信デバイス(たとえば、UE)は、信号を送信するのに使われたものと同じサブキャリア間隔を使って、信号を聴取する必要があり得る。
【００４４】
UEが、近隣セルの同期信号を監視する間、サブキャリア間隔値を構成できるようにする技法について、本明細書で説明する。いくつかのワイヤレス通信システムでは、所与の無線周波数スペクトル帯域中の同期信号は、複数の異なるサブキャリア間隔のうちの1つを使って送信され得る。いくつかのケースでは、基地局などのネットワークエンティティが、セルによって同期信号の特定のセットを送信するのに使われるサブキャリア間隔を示す指示を、UEへ送信し得る。いくつかのケースでは、UEは、UEによってローカルに記憶された、サブキャリア間隔のデータベースに基づいて、サブキャリア間隔を選択し得る。いくつかのケースでは、UEは、所定の構成に基づいてサブキャリア間隔を選択してよい。
【００４５】
最初にワイヤレス通信システムの文脈で本開示の態様が説明される。本開示の態様は、ネットワークエンティティの間の通信方式の文脈で説明される。本開示の態様は、信号検出のためのサブキャリア間隔を選択するための技法に関する装置図、システム図、およびフローチャートによってさらに示され、それらを参照して説明される。
【００４６】
図1は、本開示の様々な態様によるワイヤレス通信システム100の例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、または新無線(NR)ネットワークであり得る。いくつかのケースでは、ワイヤレス通信システム100は、拡張ブロードバンド通信、超高信頼(たとえば、ミッションクリティカル)通信、低レイテンシ通信、または低コストで低複雑度のデバイスとの通信をサポートし得る。
【００４７】
基地局105は、1つまたは複数の基地局アンテナを介してUE115とワイヤレス通信することができる。本明細書で説明する基地局105は、基地トランシーバ局、無線基地局、アクセスポイント、無線トランシーバ、ノードB、eノードB(eNB)、次世代ノードBもしくはギガノードB(そのいずれもgNBと呼ばれることがある)、ホームノードB、ホームeノードB、または何らかの他の好適な用語を含むことがあり、またはそのように当業者によって呼ばれることがある。ワイヤレス通信システム100は、異なるタイプの基地局105(たとえば、マクロセル基地局またはスモールセル基地局)を含み得る。本明細書で説明するUE115は、マクロeNB、スモールセルeNB、gNB、リレー基地局などを含む、様々なタイプの基地局105およびネットワーク機器と通信することが可能であり得る。
【００４８】
各基地局105は、様々なUE115との通信がサポートされる特定の地理的カバレージエリア110に関連付けられ得る。各基地局105は、通信リンク125を介してそれぞれの地理的カバレージエリア110に対する通信カバレージを提供することができ、基地局105とUE115との間の通信リンク125は、1つまたは複数のキャリアを利用することができる。ワイヤレス通信システム100において示される通信リンク125は、UE115から基地局105へのアップリンク送信または基地局105からUE115へのダウンリンク送信を含んでよい。ダウンリンク送信は、順方向リンク送信と呼ばれることもあり、アップリンク送信は、逆方向リンク送信と呼ばれることもある。
【００４９】
基地局105のための地理的カバレージエリア110は、地理的カバレージエリア110の一部分のみを構成するセクタに分割されてよく、セクタはそれぞれセルに関連付けられてよい。たとえば、各基地局105は、マクロセル、スモールセル、ホットスポット、もしくは他のタイプのセル、またはそれらの様々な組合せに通信カバレージを提供し得る。いくつかの例では、基地局105は可動であり、したがって、移動している地理的カバレージエリア110のための通信カバレージを提供し得る。いくつかの例では、異なる技術に関連する異なる地理的カバレージエリア110は、重複し得、異なる技術に関連する重複する地理的カバレージエリア110は、同じ基地局105によって、または異なる基地局105によってサポートされ得る。ワイヤレス通信システム100は、たとえば、異なるタイプの基地局105が様々な地理的カバレージエリア110のためのカバレージを提供する異種LTE/LTE-AまたはNRネットワークを含み得る。
【００５０】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))に関連付けられ得る。いくつかの例では、キャリアは、複数のセルをサポートし得、異なるセルは、異なるタイプのデバイスのためのアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。いくつかのケースでは、「セル」という用語は、それを介して論理エンティティが動作する地理的カバレージエリア110(たとえば、セクタ)の一部分を指すことがある。
【００５１】
UE115は、ワイヤレス通信システム100全体にわたって分散されてよく、各UE115は、固定またはモバイルであってよい。UE115は、モバイルデバイス、ワイヤレスデバイス、リモートデバイス、ハンドヘルドデバイス、もしくは加入者デバイス、または何らかの他の適切な用語で呼ばれる場合もあり、「デバイス」は、ユニット、局、端末、またはクライアントと呼ばれる場合もある。UE115はまた、セルラーフォン、携帯情報端末(PDA)、タブレットコンピュータ、ラップトップコンピュータ、またはパーソナルコンピュータなど、パーソナル電子デバイスであり得る。いくつかの例では、UE115は、ワイヤレスローカルループ(WLL)局、モノのインターネット(IoT)デバイス、あらゆるモノのインターネット(IoE)デバイス、またはMTCデバイスなどを指す場合もあり、これらは、器具、車両、メーターなどのような様々な物品において実装され得る。
【００５２】
MTCデバイスまたはIoTデバイスなど、いくつかのUE115は、低コストまたは低複雑度のデバイスである場合があり、機械間の自動化された通信(たとえば、マシンツーマシン(M2M)通信)を提供し得る。M2M通信またはMTCは、人が介在することなく、デバイスが互いにまたは基地局105と通信することを可能するデータ通信技術を指すことがある。いくつかの例では、M2M通信またはMTCは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのUE115は、情報を収集するように、または機械の自動化された動作を可能にするように、設計され得る。MTCデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００５３】
いくつかのUE115は、半二重通信など、電力消費を削減する動作モード(たとえば、送信または受信による単方向の通信をサポートするが、送信および受信を同時にはサポートしないモード)を採用するように構成され得る。いくつかの例では、半二重通信は、低減されたピークレートで実施され得る。UE115向けの他の電力節約技法は、アクティブ通信に関与していないとき、省電力「ディープスリープ」モードに入ること、または(たとえば、狭帯域通信に従って)有限帯域幅にわたって動作することを含む。いくつかのケースでは、UE115は、クリティカルな機能(たとえば、ミッションクリティカルな機能)をサポートするように設計されてよく、ワイヤレス通信システム100はこれらの機能のために超高信頼性通信を提供するように構成されることがある。
【００５４】
いくつかのケースでは、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレージエリア110内にあり得る。そのようなグループ中の他のUE115は、基地局105の地理的カバレージエリア110外にあるか、または場合によっては基地局105からの送信を受信できないことがある。いくつかのケースでは、D2D通信を介して通信するUE115のグループは、各UE115がグループの中のすべての他のUE115へ送信する1対多(1:M)システムを利用し得る。いくつかのケースでは、基地局105は、D2D通信のためのリソースのスケジューリングを円滑にする。他のケースでは、D2D通信は、基地局105の関与なしに、UE115同士の間で実践される。
【００５５】
基地局105は、コアネットワーク130と、および互いと通信し得る。たとえば、基地局105は、バックホールリンク132を通して(たとえば、S1インターフェースまたは別のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００５６】
コアネットワーク130は、ユーザ認証、アクセス許可、追跡、インターネットプロトコル(IP)接続、および他のアクセス機能、ルーティング機能、またはモビリティ機能を提供し得る。コアネットワーク130は、発展型パケットコア(EPC)であってよく、発展型パケットコア(EPC)は、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含み得る。MMEは、EPCに関連する基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００５７】
基地局105などのネットワークデバイスのうちの少なくともいくつかは、アクセスネットワークエンティティなどの下位構成要素を含んでよく、アクセスネットワークエンティティは、アクセスノードコントローラ(ANC)の例であってよい。各アクセスネットワークエンティティは、無線ヘッド、スマート無線ヘッド、または送受信ポイント(TRP)と呼ばれ得る、いくつかの他のアクセスネットワーク送信エンティティを通して、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合され得る。
【００５８】
ワイヤレス通信システム100は、一般に、300MHzから300GHzの範囲で、1つまたは複数の周波数帯域を使って動作し得る。概して、300MHzから3GHzの領域は、超高周波(UHF)領域またはデシメートル帯域として知られているが、これは、波長の長さが、およそ1デシメートルから1メートルに及ぶからである。UHF波は、建物および環境特性によってブロックされ得るか、またはリダイレクトされ得る。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF:very high frequency)部分のより低い周波数およびより長い波を使用する送信と比較して、より小型のアンテナおよびより短い距離(たとえば、100km未満)に関連付けられ得る。
【００５９】
ワイヤレス通信システム100はまた、センチメートル帯域とも呼ばれる、3GHzから30GHzまでの周波数帯域を使用する超高周波(SHF)領域の中で動作し得る。SHF領域は、他のユーザからの干渉を許容し得るデバイスによって日和見的に使用され得る5GHz産業科学医療(ISM)帯域などの帯域を含む。
【００６０】
ワイヤレス通信システム100は、ミリメートル帯域としても知られている、(たとえば、30GHzから300GHzの)スペクトルの極高周波(EHF:extremely high frequency)領域内で動作することもできる。いくつかの例では、ワイヤレス通信システム100は、UE115と基地局105との間のmmW通信をサポートすることができ、それぞれのデバイスのEHFアンテナは、UHFアンテナよりも、さらに小さくてもよく、より間隔が密であってもよい。いくつかのケースでは、これは、UE115内のアンテナアレイの使用を容易にし得る。しかしながら、EHF送信の伝搬は、SHF送信またはUHF送信よりもさらに大きい大気減衰およびより短い距離を受けることがある。本明細書で開示する技法は、1つまたは複数の異なる周波数領域を使用する送信にわたって採用されてよく、これらの周波数領域にわたる帯域の指定された使用は、国ごとにまたは規制団体ごとに異なり得る。
【００６１】
いくつかのケースでは、ワイヤレス通信システム100は、認可無線周波数スペクトル帯域と無認可無線周波数スペクトル帯域の両方を利用することができる。たとえば、ワイヤレス通信システム100は、5GHzのISM帯域などの無認可帯域において、認可支援アクセス(LAA)、LTE無認可(LTE U)無線アクセス技術またはNR技術を採用し得る。無認可無線周波数スペクトル帯域中で動作するとき、基地局105およびUE115などのワイヤレスデバイスは、データを送信する前に周波数チャネルがクリアであることを保証するために、リッスンビフォアトーク(LBT)プロシージャを採用し得る。いくつかのケースでは、無認可帯域における動作は、認可帯域において動作するCCと連携したCA構成(たとえば、LAA)に基づき得る。無認可スペクトルでの動作は、ダウンリンク送信、アップリンク送信、ピアツーピア送信、またはこれらの組合せを含んでよい。無認可スペクトルでの複信は、周波数分割複信(FDD)、時分割複信(TDD)、またはその両方の組合せに基づいてよい。
【００６２】
いくつかの例では、基地局105またはUE115は複数のアンテナを装備してよく、アンテナは、送信ダイバーシティ、受信ダイバーシティ、多入力多出力(MIMO)通信、またはビームフォーミングなどの技法を採用するのに使われ得る。たとえば、ワイヤレス通信システム100は、送信デバイス(たとえば、基地局105)と受信デバイス(たとえば、UE115)との間の送信方式を使用することができ、ここで、送信デバイスは、複数のアンテナを装備し、受信デバイスは、1つまたは複数のアンテナを装備する。MIMO通信は、空間多重化と呼ばれることがある、異なる空間レイヤを介して複数の信号を送信または受信することによってスペクトル効率を高めるためにマルチパス信号伝搬を採用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームに関連するビットを搬送し得る。異なる空間レイヤは、チャネル測定および報告のために使用される異なるアンテナポートに関連付けられてよい。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６３】
ビームフォーミングは、空間フィルタリング、指向性送信、または指向性受信と呼ばれることもあり、送信デバイスと受信デバイスとの間の空間経路に沿ってアンテナビーム(たとえば、送信ビームまたは受信ビーム)を形作るか、またはステアリングするために、送信デバイスまたは受信デバイス(たとえば、基地局105またはUE115)において使われ得る信号処理技術である。ビームフォーミングは、アンテナアレイに対して特定の配向において伝搬する信号が強め合う干渉を経ると同時に他の信号が弱め合う干渉を経るように、アンテナアレイのアンテナ要素を介して通信される信号を結合することによって遂行され得る。アンテナ要素を介して通信される信号の調節は、送信デバイスまたは受信デバイスが、デバイスに関連付けられたアンテナ要素の各々を介して搬送される信号に、いくつかの振幅および位相オフセットを適用することを含み得る。アンテナ要素の各々に関連付けられた調節は、(たとえば、送信デバイスもしくは受信デバイスのアンテナアレイに対して、または何らかの他の配向に対して)特定の配向に関連付けられたビームフォーミング重みセットによって定義され得る。
【００６４】
一例では、基地局105は、UE115との指向性通信のためのビームフォーミング動作を行うために、複数のアンテナまたはアンテナアレイを使い得る。たとえば、いくつかの信号(たとえば同期信号、基準信号、ビーム選択信号、または他の制御信号)は、基地局105によって複数回、異なる方向に送信される場合があり、このことは、信号が、異なる送信方向に関連付けられた、異なるビームフォーミング重みセットに従って送信されることを含み得る。異なるビーム方向における送信は、基地局105による後続送信および/または受信のためのビーム方向を(たとえば、基地局105またはUE115などの受信デバイスによって)識別するのに使われ得る。特定の受信デバイスに関連付けられたデータ信号など、いくつかの信号は、基地局105によって単一のビーム方向(たとえば、UE115などの受信デバイスに関連付けられた方向)で送信され得る。いくつかの例では、単一のビーム方向に沿った送信に関連付けられたビーム方向は、異なるビーム方向に送信された信号に少なくとも部分的に基づいて判断され得る。たとえば、UE115が、基地局105によって異なる方向に送信された信号のうちの1つまたは複数を受信する場合があり、UE115は、最も高い信号品質、またはそうではない許容信号品質をもつ、UE115が受信した信号の指示を基地局105に報告すればよい。これらの技法について、基地局105によって1つまたは複数の方向に送信される信号を参照して説明するが、UE115は、(たとえば、UE115による後続送信もしくは受信のためのビーム方向を識別するために)信号を異なる方向に複数回送信するか、または(たとえば、データを受信デバイスへ送信するために)信号を単一の方向に送信するための同様の技法を採用してよい。
【００６５】
受信デバイス(たとえば、mmW受信デバイスの例であり得るUE115)は、同期信号、基準信号、ビーム選択信号、または他の制御信号など、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも部分的に基づいて判断されたビーム方向(たとえば、複数のビーム方向に従った聴取に少なくとも部分的に基づいて、最高信号強度、最高信号対雑音比、または別様に、許容信号品質を有すると判断されたビーム方向)で位置合わせされ得る。
【００６６】
いくつかのケースでは、基地局105またはUE115のアンテナは、MIMO動作をサポートし、またはビームフォーミングを送信もしくは受信し得る1つまたは複数のアンテナアレイ内に配置され得る。たとえば、1つまたは複数の基地局アンテナまたはアンテナアレイは、アンテナタワーなどのアンテナアセンブリにおいて併置され得る。いくつかのケースでは、基地局105に関連するアンテナまたはアンテナアレイは、多様な地理的ロケーションに配置されてよい。基地局105は、基地局105がUE115との通信のビームフォーミングをサポートするのに使い得るアンテナポートのいくつかの行および列を有するアンテナアレイを有し得る。同様に、UE115は、様々なMIMO動作またはビームフォーミング動作をサポートし得る1つまたは複数のアンテナアレイを有し得る。
【００６７】
いくつかのケースでは、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、いくつかのケースでは、論理チャネルを介して通信するために、パケットのセグメント化および再アセンブリを実施してよい。媒体アクセス制御(MAC)レイヤは、優先度処理、およびトランスポートチャネルへの論理チャネルの多重化を実施してよい。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされ得る。
【００６８】
いくつかのケースでは、UE115および基地局105は、データの受信が成功する見込みを高めるようにデータの再送信をサポートし得る。HARQフィードバックは、データが通信リンク125を介して正しく受信される見込みを高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線状態(たとえば、信号対雑音状態)においてMACレイヤにおけるスループットを改善し得る。いくつかのケースでは、ワイヤレスデバイスが同一スロットHARQフィードバックをサポートすることができ、デバイスは、スロットにおける前のシンボル中で受信されたデータ用の特定のスロット中で、HARQフィードバックを与えることができる。他のケースでは、デバイスは、HARQフィードバックを、後続スロット中で、または何らかの他の時間間隔に従って与え得る。
【００６９】
LTEまたはNRにおける時間間隔は、たとえば、Ts=1/30,720,000秒というサンプリング周期を指し得る基本時間単位の倍数で表され得る。通信リソースの時間間隔は、10ミリ秒(ms)の持続時間を各々が有する無線フレームに従って編成されてよく、フレーム期間は、Tf=307,200Tsと表され得る。無線フレームは、0〜1023に及ぶシステムフレーム番号(SFN)によって識別され得る。各フレームは、0〜9に番号付けされた10個のサブフレームを含むことができ、各サブフレームは、1msの持続時間を有し得る。サブフレームは、0.5msの持続時間を各々が有する2つのスロットにさらに分割されてよく、各スロットは、(たとえば、各シンボル期間にプリペンドされたサイクリックプレフィックスの長さに依存して)6または7つの変調シンボル期間を含み得る。巡回プレフィックスを除いて、各シンボル期間は2048個のサンプリング期間を含み得る。いくつかのケースでは、サブフレームは、ワイヤレス通信システム100の最も小さいスケジューリング単位であってよく、送信時間間隔(TTI)と呼ばれ得る。他のケースでは、ワイヤレス通信システム100の最も小さいスケジューリング単位は、サブフレームよりも短くてよく、または(たとえば、短縮TTI(sTTI)のバースト中で、もしくは選択されたコンポーネントキャリア中でsTTIを使って)動的に選択されてよい。
【００７０】
いくつかのワイヤレス通信システムでは、スロットは、1つまたは複数のシンボルを含む複数のミニスロットにさらに分割されてよい。いくつかの事例では、ミニスロットのシンボルまたはミニスロットが、スケジューリングの最も小さい単位であってよい。各シンボルは、たとえば、動作のサブキャリア間隔または周波数帯域に依存して、持続時間が変わり得る。さらに、いくつかのワイヤレス通信システムは、複数のスロットまたはミニスロットがアグリゲートされ、UE115と基地局105との間の通信に使われるスロットアグリゲーションを実装することができる。
【００７１】
「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術に関する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前定義された周波数チャネル(たとえば、E-UTRA絶対無線周波数チャネル番号(EARFCN))に関連付けられてよく、UE115が発見するためのチャネルラスタに従って配置されてよい。キャリアは、ダウンリンクまたはアップリンク(たとえば、FDDモードで)であってよいか、またはダウンリンク通信およびアップリンク通信を(たとえば、TDDモードで)搬送するように構成されてよい。いくつかの例では、キャリア上で送信される信号波形は、(たとえば、OFDMまたはDFT-s-OFDMなど、マルチキャリア変調(MCM)技法を使用して)複数のサブキャリアから構成され得る。
【００７２】
キャリアの組織的構造は、異なる無線アクセス技術(たとえば、LTE、LTE-A、NRなど)向けに異なり得る。たとえば、キャリアを介した通信は、TTIまたはスロットに従って編成されてよく、それらの各々は、ユーザデータ、ならびにユーザデータの復号をサポートするための制御情報またはシグナリングを含み得る。キャリアは、専用獲得シグナリング(たとえば、同期信号またはシステム情報など)およびキャリア用の動作を協調させる制御シグナリングも含み得る。いくつかの例(たとえば、キャリアアグリゲーション構成における)では、キャリアは、他のキャリア用の動作を協調させる獲得シグナリングまたは制御シグナリングも有し得る。
【００７３】
物理チャネルは、様々な技法に従ってキャリア上で多重化され得る。物理制御チャネルおよび物理データチャネルは、ダウンリンクキャリア上で、たとえば、時分割多重化(TDM)技法、周波数分割多重化(FDM)技法、またはハイブリッドTDM-FDM技法を使用して多重化され得る。いくつかの例では、物理制御チャネル中で送信される制御情報は、異なる制御領域の間に(たとえば、共通制御領域または共通探索空間と1つまたは複数のUE固有制御領域またはUE固有探索空間との間に)カスケード方式で分散され得る。
【００７４】
キャリアは、無線周波数スペクトルの特定の帯域幅に関連付けられてよく、いくつかの例では、キャリア帯域幅は、キャリアまたはワイヤレス通信システム100の「システム帯域幅」と呼ばれ得る。たとえば、キャリア帯域幅は、特定の無線アクセス技術のキャリア用のいくつかの所定の帯域幅(たとえば、1.4、3、5、10、15、20、40、または80MHz)のうちの1つであってよい。いくつかの例では、各被サービスUE115は、キャリア帯域幅のいくつかの部分またはすべてにわたって動作するために構成され得る。他の例では、いくつかのUE115は、キャリア内のあらかじめ定義された部分または範囲(たとえば、サブキャリアまたはRBのセット)に関連付けられている狭帯域プロトコルタイプを使う動作のために構成され得る(たとえば、狭帯域プロトコルタイプの「帯域内」展開)。
【００７５】
MCM技法を採用するシステムでは、リソース要素は1つのシンボル期間(たとえば、1つの変調シンボルの持続時間)および1つのサブキャリアからなってよく、シンボル期間およびサブキャリア間隔は逆関係にある。各リソース要素によって搬送されるビットの数は、変調方式(たとえば、変調方式の次数)に依存し得る。したがって、UE115が受信するリソース要素が多いほど、かつ変調方式の次数が高いほど、UE115のデータレートは高くなる。MIMOシステムでは、ワイヤレス通信リソースが、無線周波数スペクトルリソース、時間リソース、および空間リソース(たとえば、空間レイヤ)の組合せを参照することができ、複数の空間レイヤの使用が、UE115との通信のためのデータレートをさらに増大し得る。
【００７６】
ワイヤレス通信システム100のデバイス(たとえば、基地局105またはUE115)は、特定のキャリア帯域幅を介した通信をサポートするハードウェア構成を有し得るか、またはキャリア帯域幅のセットのうちの1つを介した通信をサポートするように構成可能であり得る。いくつかの例では、ワイヤレス通信システム100は、複数の異なるキャリア帯域幅に関連付けられたキャリアによる同時通信をサポートすることができる基地局105および/またはUEを含み得る。
【００７７】
ワイヤレス通信システム100は、複数のセルまたはキャリア上のUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方を用いて使用されてよい。
【００７８】
いくつかのケースでは、ワイヤレス通信システム100は、拡張コンポーネントキャリア(eCC)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴づけられ得る。いくつかのケースでは、eCCは、(たとえば、複数のサービングセルが準最適または非理想的なバックホールリンクを有するとき)キャリアアグリゲーション構成またはデュアル接続性構成に関連付けられてよい。eCCは、(たとえば、2つ以上の事業者がスペクトルを使用することを許容される場合)無認可スペクトルまたは共有スペクトルでの使用のために構成されてもよい。広キャリア帯域幅によって特徴づけられるeCCは、全キャリア帯域幅を監視することが可能でないか、またはそうでなければ(たとえば、電力を節約するために)限られたキャリア帯域幅を使用するように構成されるUE115によって利用され得る1つまたは複数のセグメントを含み得る。
【００７９】
いくつかのケースでは、eCCは、他のCCとは異なるシンボル持続時間を利用してよく、そのことは、他のCCのシンボル持続時間と比較して短縮されたシンボル持続時間の使用を含んでよい。より短いシンボル持続時間は、隣接するサブキャリアの間の間隔の増大に関連し得る。eCCを利用するUE115または基地局105などのデバイスは、短縮されたシンボル持続時間(たとえば、16.67マイクロ秒)において、広帯域信号を(たとえば、周波数チャネルまたは20、40、60、80MHzなどのキャリア帯域幅に従って)送信し得る。eCCにおけるTTIは、1つまたは複数のシンボル期間からなり得る。いくつかのケースでは、TTI時間長(すなわち、TTI中のシンボル期間の数)は可変であり得る。
【００８０】
NRシステムなどのワイヤレス通信システムは、とりわけ、認可スペクトル、共有スペクトル、および無認可スペクトル帯域の任意の組合せを利用し得る。eCCシンボル持続時間およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００８１】
信号の受信および復号に成功するために、受信デバイス(たとえば、UE)は、信号を送信するのに使われた同じサブキャリア間隔を使う必要があり得る。いくつかのワイヤレス通信システムでは、送信デバイス(たとえば、基地局)は、複数の異なるサブキャリア間隔を使って信号を送信することが可能であり得る。したがって、受信デバイスは、信号の復号に成功するように、サブキャリア間隔パラメータを構成する必要があり得る。受信デバイスにおいてサブキャリア間隔パラメータを構成するための技法について、本明細書で説明する。たとえば、サブキャリア間隔パラメータは、ネットワークエンティティから受信されたメッセージ、受信デバイス上にローカルに記憶された、サブキャリア間隔のデータベース、または所定の構成に基づいて構成されてよい。いくつかのケースでは、サブキャリア間隔またはサブキャリア間隔パラメータは、ヌメロロジーと呼ばれる場合がある。
【００８２】
図2は、本開示の様々な態様による、信号検出のためのサブキャリア間隔を選択するための技法をサポートするワイヤレス通信システム200の例を示す。いくつかの例では、ワイヤレス通信システム200は、ワイヤレス通信システム100の態様を実装し得る。ワイヤレス通信システム200は、第1の基地局205と、第2の基地局210と、UE215との間の通信を含む。第1の基地局205および第2の基地局210は、図1を参照して説明した基地局105の例であり得る。UE215は、図1を参照して説明したUE115の例であり得る。
【００８３】
ワイヤレス通信システム200では、同期信号220が、複数のサブキャリア間隔225を使って送信され得る。複数の可能サブキャリア間隔は、同期信号220を送信するのに使われる無線周波数スペクトル帯域リソースに基づき得る。たとえば、サブ6周波数帯域中では、同期信号220は、15キロヘルツ(kHz)サブキャリア間隔または30kHzサブキャリア間隔を使って送信され得る。mmW周波数帯域中では、同期信号220は、120kHzサブキャリア間隔または240kHzサブキャリア間隔を使って送信され得る。
【００８４】
いくつかのケースでは、近隣セルまたは近隣基地局(たとえば、第1の基地局205および第2の基地局210)が、同期信号220を送信するのに、異なるサブキャリア間隔225を使う場合がある。その結果、所与の周波数帯域にわたって、UEは、異なるサブキャリア間隔225をもつ同期信号220を受信し得る。たとえば、所与の周波数帯域の場合、第1の基地局205は、第1のサブキャリア間隔225-a(たとえば、15kHzまたは120kHz)を使って、同期信号220-aの第1のセットを送信することができ、第2の基地局210は、第1のサブキャリア間隔225-aとは異なる第2のサブキャリア間隔225-b(たとえば、30kHzまたは240kHz)を使って、同期信号220-bの第2のセットを送信することができる。いくつかのケースでは、同期信号220は、どの基地局が同期信号220を送信したかにかかわらず異なるセルに関連付けられ得る。たとえば、同じ基地局(たとえば、第1の基地局205)が、第1のセル中で第1のサブキャリア間隔225-aを使って同期信号220-aを送信し、第2のセル中で第2のサブキャリア間隔225-bを使って同期信号220-bを送信してよい。
【００８５】
同期信号220を監視するとき、UE215は、同期信号220の受信および/または復号に成功するために、どのサブキャリア間隔225が、同期信号220を送信するのに使われているかを知る必要があり得る。たとえば、UE215が周波数内および周波数間探索ならびに測定手順を実施するとき、UE215は、様々な信号パラメータを測定し、ハンドオーバイベントが開始されるべきかどうかを判断するために、近隣セルの同期信号220を監視すればよい。そのようなネイバー探索手順において、UE215は、特定のサブキャリア間隔225を使って同期信号を監視し得る。
【００８６】
UE215が、同期信号220を監視しながら、サブキャリア間隔225の値を構成できるようにする技法について、本明細書で説明する。いくつかのワイヤレス通信システムでは、所与の無線周波数スペクトル帯域中の同期信号220は、複数の異なるサブキャリア間隔値のうちの1つを使って送信され得る。いくつかのケースでは、UE215は、ネットワークエンティティ(たとえば、基地局205)から、同期信号のサブキャリア間隔の指示を受信し得る。いくつかのケースでは、UE215は、UE215によってローカルに記憶された、サブキャリア間隔のデータベースに基づいて、サブキャリア間隔を選択し得る。いくつかのケースでは、UE215は、所定の構成に基づいてサブキャリア間隔を選択してよい。
【００８７】
図3は、本開示の様々な態様による、信号検出のためのサブキャリア間隔を選択するための技法をサポートする通信方式300の例を示す。いくつかの例では、通信方式300は、ワイヤレス通信システム100および200の態様を実装し得る。
【００８８】
通信方式300は、ネットワークエンティティ(たとえば、被接続基地局305)が、UE315へ近隣セルによって送信された(たとえば、近隣基地局310によって送信された)同期信号のサブキャリア間隔を示す手順を示すことができる。通信方式300は、被接続基地局305、近隣基地局310、およびUE315の様々な組合せによって実施される機能と、それらの間で交換される通信とを含む。被接続基地局305は、図1〜図2を参照して説明した基地局105、205の例であってよい。近隣基地局310は、図1〜図2を参照して説明した基地局105、210の例であってよい。UE315は、図1〜図2を参照して説明したUE115、215の例であってよい。いくつかのケースでは、被接続基地局305は、UE315と接続された1次セルを指す場合があり、近隣基地局310は、UE315の付近にある非接続セルを指す場合がある。
【００８９】
ブロック320において、被接続基地局305は、被接続基地局305と接続されているUE315向けの周波数内および周波数間探索ならびに測定手順を開始し得る。周波数内および周波数間探索ならびに測定手順は、セル選択基準を評価するように構成されてよい。周波数内および周波数間探索ならびに測定手順は、近隣セルが、RAT内、RAT間、周波数帯域内、それとも周波数帯域間であるかにかかわらず、近隣セルについてのリンク状態を判断するのに使われ得る。いくつかのケースでは、周波数内および周波数間探索ならびに測定手順は、ネイバーセル選択手順と呼ばれ得る。UE315または基地局305は、周波数内および周波数間探索ならびに測定手順中に判断された情報を、ハンドオーバ手順(たとえば、RAT間またはRAT内)が実施されるべきかどうかを判断するのに使えばよい。周波数内および周波数間探索ならびに測定手順は、セル再選択評価プロセスの一部であり得る。
【００９０】
通信リンクが確立された後、被接続基地局305は、UEが別のセルにハンドオーバされるべきかどうかを判断するために、UE315が様々な信号測定を実施することを要求してよい。UE315がネットワークを移動すると、UE315は、他のセル(たとえば、近隣基地局310によってサポートされる近隣セル)へハンドオフされ得る。いくつかのケースでは、被接続基地局305は、ハンドオーバイベントについての判断を行うために、1つまたは複数の測定がUE315に対して必要とされると判断することを含み得る。
【００９１】
ブロック325において、被接続基地局305は、UE315によって監視されるべきである1つまたは複数の近隣セル(または近隣基地局)を識別することができる。被接続基地局305は、UE315によって監視されるべきである近隣セルの1つまたは複数の周波数帯域を識別することもできる。被接続基地局305は、これらの識別を、周辺セルについての知識および/または近隣セル中の利用可能帯域幅についての知識に基づいて行うことができる。そのような情報は、基地局および/またはセルの間で通信され得る。
【００９２】
ブロック330において、被接続基地局305は、監視されるべき、識別された近隣セルおよび識別された周波数帯域に基づいて、近隣セル(たとえば、近隣基地局310)によって送信された同期信号を送信するのに使われたサブキャリア間隔を識別し得る。異なるセルは、同期信号を送信するのに、異なるサブキャリア間隔を使い得る。いくつかのケースでは、同じセルが、異なる周波数帯域中で同期信号を送信するのに、異なるサブキャリア間隔を使う。いくつかのケースでは、被接続基地局305は、識別された周波数帯域がサブ6周波数帯域中に、それともmmW周波数帯域中にあるかを判断することができる。この判断に基づいて、被接続基地局305は、どの所与の周波数帯域についても、可能サブキャリア間隔のセットを識別することができる。たとえば、サブ6周波数帯域用には、可能サブキャリア間隔は15kHzおよび30kHzであってよく、mmW周波数帯域用には、可能サブキャリア間隔は120kHzおよび240kHzであってよい。
【００９３】
被接続基地局305は、セルのサブキャリア間隔およびUE315によって監視されるべき周波数帯域を示す指示335を生成し、UE315へ送信することができる。いくつかのケースでは、指示335は、被接続基地局305によって送信される測定構成メッセージ中に含められてよい。いくつかのケースでは、指示335は、セル識別子および/または周波数帯域識別子に関連付けられたシングルビットインジケータであってよい。そのようなケースでは、指示335の第1の論理値は、第1のサブキャリア間隔(たとえば、15kHzまたは120kHz)が使われることを示すことができ、指示335の第2の論理値は、第2のサブキャリア間隔(たとえば、30kHzまたは240kHz)が、同期信号を送信するのに使われることを示すことができる。UE315は、指示335およびインジケータ自体を含むメッセージ中で示される両方の周波数帯域に基づいて、どのサブキャリア間隔が使われるかを判断するように構成され得る。いくつかのケースでは、指示335は、すべての4つの可能サブキャリア間隔(たとえば、15kHz、30kHz、120kHz、および240kHz)を弁別するマルチビットインジケータである。いくつかのケースでは、指示335は無線リソース制御(RRC)メッセージの一部であってよい。いくつかのケースでは、指示335は、無線リンク制御(RLC)メッセージの一部であってよい。
【００９４】
ブロック340において、UE315は、指示335を受信したことに基づいて、同期信号のサブキャリア間隔を判断し得る。いくつかのケースでは、UE315は、指示335中の情報に基づいて、同期信号のサブキャリア間隔を判断し得る。UE315は、指示335のみ(たとえば、マルチビット指示)に基づいてサブキャリア間隔を判断することができる。いくつかのケースでは、UE315は、指示335を含むメッセージ中で示される周波数帯域を識別することができ、UE315は、指示335の論理値を識別することができる。周波数帯域値および指示335の値に基づいて、UE315は、サブキャリア間隔を判断することができる。UE315は、監視されるべきである1つまたは複数の近隣セルについてのセル識別子を判断し、適切な近隣セルにサブキャリア間隔を適用することもできる。
【００９５】
近隣セル(たとえば、近隣基地局310だが、いくつかのケースでは、被接続基地局305であってよい)は、1つまたは複数の同期信号345を送信し得る。同期信号345は、他のネットワークエンティティとの通信リンクを確立するのを容易にするか、またはハンドオーバイベント判断のためのUEによる測定を容易にするための動作を含む通常動作の一部として、定期的に送信され得る。いくつかのケースでは、同期信号345は指向性ビームであってよい。いくつかのケースでは、同期信号345はブロック中で送信されてよい。ブロックは、ビーム方向のセットによって定義されたあらゆるビーム方向で、少なくとも1つの同期信号345を送信することを含み得る。いくつかのケースでは、同期信号345のブロックは、ビーム送信パターンに従って送信され得る。
【００９６】
ブロック350において、UE315は、指示335中で示されたサブキャリア間隔を使って、同期信号345を監視する。UE315は、受信された同期信号345の1つまたは複数のパラメータを測定することができる。たとえば、UE315は、同期信号345の受信信号強度インジケータ(RSSI)、基準信号受信電力(RSRP)、基準信号受信品質(RSRQ)、信号対干渉プラス雑音比(SINR)、またはそれらの組合せを測定することができる。いくつかのケースでは、UE315は、受信された同期信号345のセットから、どの受信された同期信号345が、最も高い信号品質を有するかを識別することができる。いくつかのケースでは、UE315は、測定されたパラメータに基づいて、1つまたは複数の同期信号ビームのビームインデックスを識別することができる。いくつかのケースでは、UE315は、単一の受信ビームを使って、1つまたは複数の同期信号ビームのビームパラメータを測定することができる。
【００９７】
UE315は、これらの監視プロセスを、監視されるべき多くの近隣セルおよび周波数帯域に対して、ならびに利用可能である多くの異なるサブキャリア間隔選択肢に対して繰り返してよい。いくつかのケースでは、ワイヤレス通信システムは、同期信号を送信するための、任意の数(たとえば、1、2、3、4、5、6、7、8、9、10、など)のサブキャリア間隔選択肢を含み得る。
【００９８】
UE315は、受信された同期信号345の様々な特性を示す報告355を生成し、被接続基地局305へ送信し得る。報告355は、UE315によって測定されたパラメータを含み得る。報告355は、複数の受信された同期信号345についての、測定されたパラメータを含み得る。いくつかのケースでは、報告355は、報告中に含まれる同期信号345の一部または全部についての、測定されたサブキャリア間隔を示すこともできる。被接続基地局305は、その情報を、近隣セルのサブキャリア間隔に関するどのデータベースを更新するのにも使うことができる。
【００９９】
いくつかの状況では、指示335中に含まれるサブキャリア間隔は、不正確または古い場合がある。たとえば、近隣セル(たとえば、近隣基地局310)は、第1のサブキャリア間隔(たとえば、15kHz)を使って同期信号345を送信中であり得るが、指示335は、近隣セルが第2のサブキャリア間隔(たとえば、30kHz)を使って同期信号345を送信中であると示す場合がある。UE315は、期待するように同期信号345を検出または受信することができないと判断した場合、UE315は、可能サブキャリア間隔のセットについての異なるサブキャリア間隔を選択し、その異なるサブキャリア間隔を使って同期信号を監視する。異なるサブキャリア間隔が本当に正しく、UE315が同期信号345を受信した場合、UE315は、更新されたサブキャリア間隔を報告355中に含めてよい。
【０１００】
図4は、本開示の様々な態様による、信号検出のためのサブキャリア間隔を選択するための技法をサポートする通信方式400の例を示す。いくつかの例では、通信方式400は、ワイヤレス通信システム100および200の態様を実装し得る。
【０１０１】
通信方式400は、UE415が、近隣セルによって送信された(たとえば、近隣基地局410によって送信された)同期信号を監視するとき、複数の可能サブキャリア間隔を監視する手順を示し得る。通信方式400は、被接続基地局405、近隣基地局410、およびUE415の様々な組合せによって実施される機能と、それらの間で交換される通信とを含む。被接続基地局405は、図1〜図3を参照して説明した基地局105、205、305の例であってよい。近隣基地局410は、図1〜図3を参照して説明した基地局105、210、310の例であってよい。UEは、図1〜図3を参照して説明したUE115、215、315の例であってよい。いくつかのケースでは、被接続基地局405は、UE415と接続された1次セルを指す場合があり、近隣基地局410は、UE415の付近にある非接続セルを指す場合がある。
【０１０２】
UE415は、UE415が、近隣セル探索手順を開始するか、または1つもしくは複数の近隣セルの1つもしくは複数の同期信号の1つもしくは複数のパラメータを測定するべきであることを示す構成メッセージ420を、被接続基地局405から受信し得る。いくつかのケースでは、構成メッセージ420は、測定構成メッセージの例であり得る。いくつかのケースでは、構成メッセージ420は、RRCメッセージの例であり得る。いくつかのケースでは、構成メッセージ420は、無線リンク制御(RLC)メッセージの例であり得る。構成メッセージ420は、同期信号のサブキャリア間隔についてのいかなる指示も含まなくてよい。
【０１０３】
ブロック425において、UE415は、構成メッセージ420を受信したことに基づいて、近隣セル探索手順を開始し得る。いくつかのケースでは、UE415は、構成メッセージ420を受信したことに基づいて、同期信号測定手順を開始し得る。
【０１０４】
ブロック430において、UE415は、UE415によって監視されるべきである1つまたは複数の近隣セル(または近隣基地局)を識別することができる。UE415は、監視されるべきである近隣セルの1つまたは複数の周波数帯域を識別することもできる。UE415は、これらの識別を、構成メッセージ420中に含まれる情報に基づいて行うことができる。
【０１０５】
ブロック435において、UE415は、構成メッセージ420に基づいて、近隣セル(たとえば、近隣基地局410)によって送信された同期信号を送信するのに使われた複数の可能サブキャリア間隔を識別し得る。たとえば、UE415は、構成メッセージ420に基づいて、識別された周波数帯域がサブ6周波数帯域中に、それともmmW周波数帯域中にあるかを判断することができる。この判断に基づいて、UE415は、識別された周波数帯域について、可能サブキャリア間隔のセットを識別することができる。たとえば、サブ6周波数帯域用には、可能サブキャリア間隔は15kHzおよび30kHzであってよく、mmW周波数帯域用には、可能サブキャリア間隔は120kHzおよび240kHzであってよい。
【０１０６】
ブロック440において、UE415は、より以前に識別された複数のサブキャリア間隔の探索順序を判断することができる。ネットワークは、どのサブキャリア間隔が同期信号を送信するのに使われているかをUE415に知らせなかったので、UE415は、それ自体を、すべての可能サブキャリア間隔を使って同期信号を監視するように構成してよい。UE415は、監視中に使うべきサブキャリア間隔の順序を判断することができる。
【０１０７】
いくつかのケースでは、UE415は、所定の構成に基づいて、サブキャリア間隔監視のための順序を判断してよい。UE415は、所与の周波数帯域についての特定の順序で、サブキャリア間隔を常に探索するように事前構成されてよい。たとえば、mmW周波数帯域中で、UE415は、最初に120kHzサブキャリア間隔を使って、かつ第2に240kHzサブキャリア間隔を使って、またはその反対で、監視するように構成されてよい。いくつかの状況では、UE415は、利用可能スペクトルをサブ6帯域およびmmW帯域に単に分割するよりも、特定の周波数帯域についての事前構成された探索順序を有し得る。
【０１０８】
いくつかのケースでは、UE415は、UE415のデータベース中に含まれる情報に基づいて、サブキャリア間隔監視のための順序を判断することができる。UE415が異なるセルに接続すると、UE415は、特定のセルによってどのサブキャリア間隔がどの周波数帯域中で使われるかを識別することができる。UE415は、その情報を、将来の使用のために記憶すればよい。UE415が、既知のセルによって送信された同期信号を監視することを試みると、UE415は、データベース中に含まれる情報に基づいて、最初にどのサブキャリア間隔を監視するかを選択してよい。いくつかのケースでは、このデータベースは、UE415上でローカルに記憶される。
【０１０９】
近隣セル(たとえば、近隣基地局410だが、いくつかのケースでは、被接続基地局405であってよい)は、同期信号445の第1のセットを送信し得る。同期信号445は、他のネットワークエンティティとの通信リンクを確立するのを容易にするか、またはハンドオーバイベント判断のためのUEによる測定を容易にするための動作を含む通常動作の一部として、定期的に送信され得る。いくつかのケースでは、同期信号445は指向性ビームであってよい。いくつかのケースでは、同期信号445はブロック中で送信されてよい。ブロックは、ビーム方向のセットによって定義されたあらゆるビーム方向で、少なくとも1つの同期信号445を送信することを含み得る。いくつかのケースでは、同期信号445のブロックは、ビーム送信パターンに従って送信され得る。
【０１１０】
ブロック450において、UE415は、あらかじめ判断された探索順序に基づき、第1のサブキャリア間隔を使って、同期信号445の第1のセットを監視し得る。UE415は、同期信号445の受信された第1のセットの1つまたは複数のパラメータを測定することができる。たとえば、UE415は、同期信号445の第1のセットのRSSI、RSRP、RSRQ、SINR、またはそれらの組合せを測定することができる。いくつかのケースでは、UE415は、受信された同期信号445のセットから、どの受信された同期信号445が、最も高い信号品質を有するかを識別することができる。いくつかのケースでは、UE415は、測定されたパラメータに基づいて、1つまたは複数の同期信号ビームのビームインデックスを識別することができる。いくつかのケースでは、UE415は、単一の受信ビームを使って、1つまたは複数の同期信号ビームのビームパラメータを測定することができる。
【０１１１】
いくつかのケースでは、UE415は、同期信号445の第1のセットのいずれかを受信しないか、またはその復号に成功しない場合があり、というのは、UE415は、同期信号445の第1のセットを送信するのに使われるものとは異なるサブキャリア間隔を使って監視しているからである。したがって、UE415は、近隣セルによって送信された同期信号445-aの第2のセットを監視するために、異なるサブキャリア間隔に切り替えてよい。
【０１１２】
ブロック455において、UE415は、あらかじめ判断された探索順序に基づき、第2のサブキャリア間隔(第1のサブキャリア間隔とは異なる)を使って同期信号445-aの第2のセットを監視し得る。UE415は、同期信号445-aの受信された第2のセットの1つまたは複数のパラメータを測定することができる。たとえば、UE415は、同期信号445-aの第2のセットのRSSI、RSRP、RSRQ、SINR、またはそれらの組合せを測定することができる。いくつかのケースでは、UE415は、受信された同期信号445-aのセットから、どの受信された同期信号445-aが、最も高い信号品質を有するかを識別することができる。いくつかのケースでは、UE415は、測定されたパラメータに基づいて、1つまたは複数の同期信号ビームのビームインデックスを識別することができる。いくつかのケースでは、UE415は、単一の受信ビームを使って、1つまたは複数の同期信号ビームのビームパラメータを測定することができる。
【０１１３】
UE415は、これらの監視プロセスを、監視されるべき多くの近隣セルおよび周波数帯域に対して、ならびに利用可能である多くの異なるサブキャリア間隔選択肢に対して繰り返してよい。いくつかのケースでは、ワイヤレス通信システムは、同期信号を送信するための、任意の数(たとえば、1、2、3、4、5、6、7、8、9、10、など)のサブキャリア間隔選択肢を含み得る。
【０１１４】
UE415は、受信された同期信号445の様々な特性を示す報告460を生成し、被接続基地局405へ送信し得る。報告460は、UE415によって測定されたパラメータを含み得る。報告460は、複数の受信された同期信号445についての、測定されたパラメータを含み得る。いくつかのケースでは、報告460は、報告中に含まれる同期信号445の一部または全部についての、測定されたサブキャリア間隔を示すこともできる。被接続基地局405は、その情報を、近隣セルのサブキャリア間隔に関するどのデータベースを更新するのにも使うことができる。いくつかのケースでは、UE415は、特定のセルおよび周波数帯域のサブキャリア間隔についてのそれ自体のデータベースを更新することができる。
【０１１５】
図5は、本開示の様々な態様による、信号検出のためのサブキャリア間隔を選択するための技法をサポートする通信方式500の例を示す。いくつかの例では、通信方式500は、ワイヤレス通信システム100および200の態様を実装し得る。
【０１１６】
通信方式500は、UE515が、様々な要因に基づいて、近隣セルによって送信された(たとえば、近隣基地局510によって送信された)同期信号545を監視するとき、複数の可能サブキャリア間隔から単一のサブキャリア間隔を選択する手順を示し得る。通信方式500は、被接続基地局505、近隣基地局510、およびUE515の様々な組合せによって実施される機能と、それらの間で交換される通信とを含む。被接続基地局505は、図1〜図4を参照して説明した基地局105、205、305、405の例であってよい。近隣基地局510は、図1〜図4を参照して説明した基地局105、210、310、410の例であってよい。UEは、図1〜図4を参照して説明したUE115、215、315、415の例であってよい。いくつかのケースでは、被接続基地局505は、UE515と接続された1次セルを指す場合があり、近隣基地局510は、UE515の付近にある非接続セルを指す場合がある。
【０１１７】
通信方式500において概説される手順は、UE515が複数のサブキャリア間隔ではなく1つのサブキャリア間隔を監視するだけであるという点で、通信方式400において概説された手順とは異なる。したがって、通信方式500の特徴の多くは、通信方式400の特徴と同様であり、それらの特徴の完全な記述は、ここでは繰り返されない。
【０１１８】
UE515は、UE515がいくつかのセルの同期信号を監視するべきであることを示す構成メッセージ520を、被接続基地局505から受信し得る。いくつかのケースでは、この監視は、近隣セル探索手順または別の近隣セル測定手順の一部として行われ得る。
【０１１９】
ブロック525において、UE515は関連手順を開始し得る。ブロック530において、UE515は、手順中に監視されるべき1つまたは複数のセルおよび1つまたは複数の周波数帯域を識別し得る。ブロック535において、UE515は、構成メッセージ520に基づいて、近隣セル(たとえば、近隣基地局510)によって送信された同期信号545を送信するのに使われる複数の可能サブキャリア間隔を識別し得る。
【０１２０】
ブロック540において、UE515は、同期信号545を監視するときに使うためのサブキャリア間隔を、複数の可能サブキャリア間隔から選択し得る。いくつかのケースでは、UE515は、所定の構成に基づいて、使われるべきサブキャリア間隔を選択してよい。UE515は、所与の周波数帯域および/または所与のセル用の一定のサブキャリア間隔を探索するように事前構成され得る。たとえば、mmW周波数帯域中では、UE515は、別段に明記されない限り、120kHzサブキャリア間隔を使って監視するように構成され得る。いくつかの状況では、UE515は、利用可能スペクトルをサブ6帯域およびmmW帯域に単に分割するよりも具体的な周波数帯域向けの事前構成されたデフォルトのサブキャリア間隔を有し得る。
【０１２１】
いくつかのケースでは、UE515は、UE515のデータベース中に含まれる情報に基づいて、監視用に使われるべきサブキャリア間隔を選択してよい。UE515が異なるセルに接続すると、UE515は、特定のセルによってどのサブキャリア間隔がどの周波数帯域中で使われるかを識別することができる。UE515は、その情報を、将来の使用のために記憶すればよい。UE515が、既知のセルによって送信された同期信号を監視することを試みると、UE515は、データベース中に含まれる情報に基づいて、どのサブキャリア間隔を監視するかを選択してよい。いくつかのケースでは、このデータベースは、UE515上でローカルに記憶される。
【０１２２】
いくつかのケースでは、UE515は、ネットワークエンティティ(たとえば、被接続基地局505)から受信された情報に基づいて、監視用に使われるべきサブキャリア間隔を選択してよい。実際、通信方式300において概説された手順は、UE515によって行われる選択が、ローカルデータベースまたは所定の構成よりもむしろネットワークメッセージングに基づくという点で、通信方式500において記述される手順の具体例であり得る。
【０１２３】
近隣セル(たとえば、近隣基地局510)は、複数の同期信号545を送信する場合がある。ブロック550において、UE515は、選択されたサブキャリア間隔を使って同期信号を監視することができる。
【０１２４】
いくつかの状況では、選択されたサブキャリア間隔は不正確な場合がある。そのような状況では、UE515は、選択されたサブキャリア間隔を使って同期信号545を受信または復号することができない場合がある。UE515は、期待するように同期信号545を検出または受信することができないと判断した場合、UE515は、ブロック540に戻って、可能サブキャリア間隔のセットについての異なるサブキャリア間隔を選択し、その異なるサブキャリア間隔を使って同期信号を監視してよい。異なるサブキャリア間隔が本当に正しく、UE515が同期信号545を受信した場合、UE515は、更新されたサブキャリア間隔を報告555中に含めてよい。
【０１２５】
通信方式300、400、および500において本明細書で説明する手順は、可能な実装形態について説明しており、動作およびステップは、並べ替えられるか、または他の方法で修正されてよいこと、および他の実装形態が可能であることに留意されたい。さらに、通信方式のうちの2つまたはそれ以上からの態様が組み合わせられ得る。
【０１２６】
図6は、本開示の態様による、信号検出のためのサブキャリア間隔を選択するための技法をサポートするワイヤレスデバイス605のブロック図600を示す。ワイヤレスデバイス605は、本明細書で説明するような基地局105、205、210、305、310、405、410、505、510の態様の例であり得る。ワイヤレスデバイス605は、受信機610、基地局通信マネージャ615、および送信機620を含み得る。ワイヤレスデバイス605は、プロセッサも含み得る。これらの構成要素の各々は、(たとえば、1つまたは複数のバスを介して)互いに通信していてよい。
【０１２７】
受信機610は、パケット、ユーザデータ、または様々な情報チャネル(たとえば、制御チャネル、データチャネルなど)に関連付けられた制御情報、および信号検出のためのサブキャリア間隔を選択するための技法に関する情報などの情報を受信し得る。情報はデバイスの他の構成要素に渡され得る。受信機610は、図9を参照して説明するトランシーバ935の態様の例であってよい。受信機610は、単一のアンテナまたはアンテナのセットを利用し得る。受信機610は、指示を送信したことに基づいて、UEから測定報告を受信し得る。
【０１２８】
基地局通信マネージャ615は、図9を参照して説明する基地局通信マネージャ915の態様の例であり得る。基地局通信マネージャ615および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ615および/またはその様々な下位構成要素の少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明された機能を実施するように設計されたそれらの任意の組合せによって実行され得る。基地局通信マネージャ615、および/またはその様々な下位構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、基地局通信マネージャ615、および/またはその様々な下位構成要素のうちの少なくともいくつかは、本開示の様々な態様による別個のまたは異なる構成要素であってよい。他の例では、基地局通信マネージャ615、および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１２９】
基地局通信マネージャ615は、基地局に接続されたUE向けの周波数内および周波数間探索ならびに測定手順を開始し、周波数内および周波数間探索ならびに測定手順を開始したことに基づいて、近隣セルによって送信された同期信号のサブキャリア間隔を識別し、同期信号のサブキャリア間隔の指示をUEへ送信し得る。
【０１３０】
送信機620は、デバイスの他の構成要素によって生成された信号を送信することができる。いくつかの例では、送信機620は、トランシーバモジュールにおいて受信機610とコロケートされてよい。たとえば、送信機620は、図9を参照して説明するトランシーバ935の態様の例であり得る。送信機620は、単一のアンテナまたはアンテナのセットを利用し得る。
【０１３１】
図7は、本開示の態様による、信号検出のためのサブキャリア間隔を選択するための技法をサポートするワイヤレスデバイス705のブロック図700を示す。ワイヤレスデバイス705は、図6を参照して記載した、ワイヤレスデバイス605、または基地局105、205、210、305、310、405、410、505、510の態様の例であり得る。ワイヤレスデバイス705は、受信機710、基地局通信マネージャ715、および送信機720を含み得る。ワイヤレスデバイス705は、プロセッサも含み得る。これらの構成要素の各々は、(たとえば、1つまたは複数のバスを介して)互いに通信していてよい。
【０１３２】
受信機710は、パケット、ユーザデータ、または様々な情報チャネル(たとえば、制御チャネル、データチャネルなど)に関連付けられた制御情報、および信号検出のためのサブキャリア間隔を選択するための技法に関する情報などの情報を受信し得る。情報はデバイスの他の構成要素に渡され得る。受信機710は、図9を参照して説明するトランシーバ935の態様の例であってよい。受信機710は、単一のアンテナまたはアンテナのセットを利用し得る。
【０１３３】
基地局通信マネージャ715は、図9を参照して説明する基地局通信マネージャ915の態様の例であり得る。基地局通信マネージャ715は、サブキャリア間隔マネージャ725および指示マネージャ730も含み得る。
【０１３４】
サブキャリア間隔マネージャ725は、基地局に接続されたUE向けの周波数内および周波数間探索ならびに測定手順を開始し、周波数内および周波数間探索ならびに測定手順を開始したことに基づいて、近隣セルによって送信された同期信号のサブキャリア間隔を識別することができ、サブ6無線周波数スペクトル帯域中では、同期信号向けのサブキャリア間隔は15キロヘルツまたは30キロヘルツであり、mmW無線周波数スペクトル帯域中では、同期信号向けのサブキャリア間隔は120キロヘルツまたは240キロヘルツである。いくつかのケースでは、識別されたサブキャリア間隔は、無線周波数スペクトル帯域リソースの所与のセットについての2つの可能サブキャリア間隔のセットから選択される。
【０１３５】
指示マネージャ730は、同期信号のサブキャリア間隔の指示をUEへ送信することができる。いくつかのケースでは、指示は、基地局によってUEへ送信される測定構成メッセージの一部である。いくつかのケースでは、指示は1ビットフィールドである。いくつかのケースでは、指示は無線リソース制御(RRC)メッセージの一部である。
【０１３６】
送信機720は、デバイスの他の構成要素によって生成された信号を送信することができる。いくつかの例では、送信機720は、トランシーバモジュールにおいて受信機710とコロケートされてよい。たとえば、送信機720は、図9を参照して説明するトランシーバ935の態様の例であり得る。送信機720は、単一のアンテナまたはアンテナのセットを利用し得る。
【０１３７】
図8は、本開示の態様による、信号検出のためのサブキャリア間隔を選択するための技法をサポートする基地局通信マネージャ815のブロック図800を示す。基地局通信マネージャ815は、図6、図7、および図9を参照して説明する、基地局通信マネージャ615、基地局通信マネージャ715、または基地局通信マネージャ915の態様の例であってよい。基地局通信マネージャ815は、サブキャリア間隔マネージャ820、指示マネージャ825、周波数帯域マネージャ830、セルマネージャ835、およびデータベースマネージャ840を含み得る。これらのモジュールの各々は、(たとえば、1つまたは複数のバスを介して)互いと直接的または間接的に通信し得る。
【０１３８】
サブキャリア間隔マネージャ820は、基地局に接続されたUE向けの周波数内および周波数間探索ならびに測定手順を開始し、周波数内および周波数間探索ならびに測定手順を開始したことに基づいて、近隣セルによって送信された同期信号のサブキャリア間隔を識別することができ、サブ6無線周波数スペクトル帯域中では、同期信号向けのサブキャリア間隔は15キロヘルツまたは30キロヘルツであり、mmW無線周波数スペクトル帯域中では、同期信号向けのサブキャリア間隔は120キロヘルツまたは240キロヘルツである。いくつかのケースでは、識別されたサブキャリア間隔は、無線周波数スペクトル帯域リソースの所与のセットについての2つの可能サブキャリア間隔のセットから選択される。
【０１３９】
指示マネージャ825は、同期信号のサブキャリア間隔の指示をUEへ送信することができる。いくつかのケースでは、指示は、基地局によってUEへ送信される測定構成メッセージの一部である。いくつかのケースでは、指示は1ビットフィールドである。いくつかのケースでは、指示はRRCメッセージの一部である。
【０１４０】
周波数帯域マネージャ830は、周波数内および周波数間探索ならびに測定手順中に、UEによって監視されるべき1つまたは複数の無線周波数スペクトル帯域リソースを識別することができ、ここで、サブキャリア間隔を識別することは、1つまたは複数の無線周波数スペクトル帯域リソースを識別することに基づく。
【０１４１】
セルマネージャ835は、周波数内および周波数間探索ならびに測定手順中に、UEによって監視されるべき近隣セルを識別することができ、ここで、サブキャリア間隔を識別することは、近隣セルを識別することに基づく。
【０１４２】
データベースマネージャ840は、基地局の近傍にあるセルのセットによって送信された同期信号のサブキャリア間隔のセットを識別し、サブキャリア間隔のセットを記憶することができ、ここで、近隣セルのサブキャリア間隔を識別することは、サブキャリア間隔のセットを記憶することに基づく。
【０１４３】
図9は、本開示の態様による、信号検出のためのサブキャリア間隔を選択するための技法をサポートするデバイス905を含むシステム900の図を示す。デバイス905は、たとえば図6および図7を参照して本明細書で説明するようなワイヤレスデバイス605、ワイヤレスデバイス705、または基地局105、205、210、305、310、405、410、505、510の構成要素の例であるか、またはそれらを含み得る。デバイス905は、基地局通信マネージャ915、プロセッサ920、メモリ925、ソフトウェア930、トランシーバ935、アンテナ940、ネットワーク通信マネージャ945、および局間通信マネージャ950を含む、通信を送信および受信するための構成要素を含む双方向音声およびデータ通信のための構成要素を含み得る。これらの構成要素は、1つまたは複数のバス(たとえば、バス910)を介して電子通信していてよい。デバイス905は、1つまたは複数のUE115とワイヤレス通信することができる。
【０１４４】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかのケースでは、プロセッサ920は、メモリコントローラを使ってメモリアレイを操作するように構成され得る。他のケースでは、メモリコントローラは、プロセッサ920の中に統合されてよい。プロセッサ920は、様々な機能(たとえば、信号検出のためのサブキャリア間隔を選択するための技法をサポートする機能またはタスク)を実施するために、メモリ内に記憶されたコンピュータ可読命令を実行するように構成され得る。
【０１４５】
メモリ925は、ランダムアクセスメモリ(RAM)および読取り専用メモリ(ROM)を含み得る。メモリ925は、実行されると、プロセッサに、本明細書で説明する様々な機能を実施させる命令を含む、コンピュータ可読コンピュータ実行可能ソフトウェア930を記憶し得る。いくつかのケースでは、メモリ925は、特に、周辺構成要素もしくはデバイスとの相互作用などの、基本的なハードウェアまたはソフトウェア動作を制御し得る基本入出力システム(BIOS)を含み得る。
【０１４６】
ソフトウェア930は、信号検出のためのサブキャリア間隔を選択するための技法をサポートするためのコードを含む、本開示の態様を実装するためのコードを含み得る。ソフトウェア930は、システムメモリまたは他のメモリなど、非一時的コンピュータ可読媒体内に記憶され得る。いくつかのケースでは、ソフトウェア930は、プロセッサによって直接実行可能ではないことがあるが、(たとえば、コンパイルされ、実行されると)本明細書で説明する機能をコンピュータに実施させることができる。
【０１４７】
トランシーバ935は、本明細書で説明するような1つまたは複数のアンテナ、ワイヤードリンク、またはワイヤレスリンクを介して双方向に通信することができる。たとえば、トランシーバ935は、ワイヤレストランシーバを表すことがあり、別のワイヤレストランシーバと双方向に通信し得る。トランシーバ935はまた、送信のためにパケットを変調するとともに被変調パケットをアンテナに提供し、またアンテナから受信されたパケットを復調するための、モデムを含み得る。
【０１４８】
いくつかのケースでは、ワイヤレスデバイスは、単一のアンテナ940を含み得る。ただし、いくつかのケースでは、デバイスは複数のアンテナ940を有することができ、複数のアンテナ940は、複数のワイヤレス送信を並行して送信または受信することが可能であり得る。
【０１４９】
ネットワーク通信マネージャ945は、(たとえば、1つまたは複数のワイヤードバックホールリンクを介して)コアネットワークとの通信を管理することができる。たとえば、ネットワーク通信マネージャ945は、1つまたは複数のUE115などのクライアントデバイス用のデータ通信の転送を管理し得る。
【０１５０】
局間通信マネージャ950は、他の基地局105との通信を管理することができ、他の基地局105と協調してUE115との通信を制御するためのコントローラまたはスケジューラを含んでよい。たとえば、局間通信マネージャ950は、ビームフォーミングまたはジョイント送信などの様々な干渉軽減技法のために、UE115への送信に対するスケジューリングを協調させ得る。いくつかの例では、局間通信マネージャ950は、基地局105間の通信を行うために、ロングタームエボリューション(LTE)/LTE-Aワイヤレス通信ネットワーク技術内のX2インターフェースを提供し得る。
【０１５１】
図10は、本開示の態様による、信号検出のためのサブキャリア間隔を選択するための技法をサポートするワイヤレスデバイス1005のブロック図1000を示す。ワイヤレスデバイス1005は、本明細書で説明するようなUE115、215、315、415、515の態様の例であり得る。ワイヤレスデバイス1005は、受信機1010、UE通信マネージャ1015、および送信機1020を含み得る。ワイヤレスデバイス1005はプロセッサも含み得る。これらの構成要素の各々は、(たとえば、1つまたは複数のバスを介して)互いに通信していてよい。
【０１５２】
受信機1010は、パケット、ユーザデータ、または様々な情報チャネル(たとえば、制御チャネル、データチャネルなど)に関連付けられた制御情報、および信号検出のためのサブキャリア間隔を選択するための技法に関する情報などの情報を受信し得る。情報はデバイスの他の構成要素に渡され得る。受信機1010は、図13を参照して説明するトランシーバ1335の態様の例であってよい。受信機1010は、単一のアンテナまたはアンテナのセットを利用し得る。
【０１５３】
UE通信マネージャ1015は、図13を参照して説明するUE通信マネージャ1315の態様の例であってよい。UE通信マネージャ1015および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ1015および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実施するように設計されたそれらの任意の組合せによって実行され得る。UE通信マネージャ1015、および/またはその様々な下位構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、UE通信マネージャ1015、および/またはその様々な下位構成要素のうちの少なくともいくつかは、本開示の様々な態様による別個のまたは異なる構成要素であってよい。他の例では、UE通信マネージャ1015、および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１５４】
UE通信マネージャ1015は、周波数内および周波数間探索ならびに測定手順中に、UEによって監視されるべき1つまたは複数の無線周波数スペクトル帯域リソースを識別し、1つまたは複数の無線周波数スペクトル帯域リソースに関連付けられた、近隣セルによって送信された同期信号のサブキャリア間隔のセットを識別し、サブキャリア間隔のセットの各々を使って、近隣セルの同期信号を監視し得る。UE通信マネージャ1015は、周波数内および周波数間探索ならびに測定手順を開始し、周波数内および周波数間探索ならびに測定手順を開始したことに基づいて、同期信号の可能サブキャリア間隔のセットから、近隣セルによって送信された同期信号のサブキャリア間隔を識別し、識別されたサブキャリア間隔を使って、近隣セルの同期信号を監視することもできる。
【０１５５】
送信機1020は、デバイスの他の構成要素によって生成された信号を送信することができる。いくつかの例では、送信機1020は、トランシーバモジュール内で受信機1010とコロケートされてよい。たとえば、送信機1020は、図13を参照して説明するトランシーバ1335の態様の例であり得る。送信機1020は、単一のアンテナまたはアンテナのセットを利用し得る。
【０１５６】
図11は、本開示の態様による、信号検出のためのサブキャリア間隔を選択するための技法をサポートするワイヤレスデバイス1105のブロック図1100を示す。ワイヤレスデバイス1105は、図10を参照して説明したワイヤレスデバイス1005またはUE115、215、315、415、515の態様の例であり得る。ワイヤレスデバイス1105は、受信機1110、UE通信マネージャ1115、および送信機1120を含み得る。ワイヤレスデバイス1105はプロセッサも含み得る。これらの構成要素の各々は、(たとえば、1つまたは複数のバスを介して)互いに通信していてよい。
【０１５７】
受信機1110は、パケット、ユーザデータ、または様々な情報チャネル(たとえば、制御チャネル、データチャネルなど)に関連付けられた制御情報、および信号検出のためのサブキャリア間隔を選択するための技法に関する情報などの情報を受信し得る。情報はデバイスの他の構成要素に渡され得る。受信機1110は、図13を参照して説明するトランシーバ1335の態様の例であってよい。受信機1110は、単一のアンテナまたはアンテナのセットを利用し得る。
【０１５８】
UE通信マネージャ1115は、図13を参照して説明するUE通信マネージャ1315の態様の例であってよい。UE通信マネージャ1115は、周波数帯域マネージャ1125、サブキャリア間隔マネージャ1130、および監視マネージャ1135も含み得る。
【０１５９】
周波数帯域マネージャ1125は、周波数内および周波数間探索ならびに測定手順中に、UEによって監視されるべき1つまたは複数の無線周波数スペクトル帯域リソースを識別し、周波数内および周波数間探索ならびに測定手順中に、監視されるべき1つまたは複数の無線周波数スペクトル帯域リソースを識別することができ、ここで、サブキャリア間隔を識別することは、1つまたは複数の無線周波数スペクトル帯域リソースを識別することに基づく。
【０１６０】
サブキャリア間隔マネージャ1130は、1つまたは複数の無線周波数スペクトル帯域リソースに関連付けられた、近隣セルによって送信された同期信号のサブキャリア間隔のセットを識別することであって、サブ6無線周波数スペクトル帯域中では、同期信号向けのサブキャリア間隔のセットは、15キロヘルツまたは30キロヘルツであり、mmW無線周波数スペクトル帯域中では、同期信号向けのサブキャリア間隔のセットは、120キロヘルツまたは240キロヘルツである、ことと、周波数内および周波数間探索ならびに測定手順を開始することと、周波数内および周波数間探索ならびに測定手順を開始したことに基づいて、同期信号の可能サブキャリア間隔のセットから、近隣セルによって送信された同期信号のサブキャリア間隔を識別することとを行い得る。いくつかのケースでは、サブキャリア間隔のセットは、無線周波数スペクトル帯域リソースの所与のセットについての2つの可能サブキャリア間隔のセットを含む。
【０１６１】
監視マネージャ1135は、サブキャリア間隔のセットの各々を使って、近隣セルの同期信号を監視することであって、サブキャリア間隔のセットの各々を監視することは、特定の同期信号に関連付けられたサブキャリア間隔についての指示を、基地局から受信できなかったことに基づく、ことと、識別されたサブキャリア間隔を使って、近隣セルの同期信号を監視することとを行い得る。
【０１６２】
送信機1120は、デバイスの他の構成要素によって生成された信号を送信することができる。いくつかの例では、送信機1120は、トランシーバモジュール内で受信機1110とコロケートされてよい。たとえば、送信機1120は、図13を参照して説明するトランシーバ1335の態様の例であり得る。送信機1120は、単一のアンテナまたはアンテナのセットを利用し得る。
【０１６３】
図12は、本開示の態様による、信号検出のためのサブキャリア間隔を選択するための技法をサポートするUE通信マネージャ1215のブロック図1200を示す。UE通信マネージャ1215は、図10、図11、および図13を参照して説明するUE通信マネージャ1315の態様の例であってよい。UE通信マネージャ1215は、周波数帯域マネージャ1220、サブキャリア間隔マネージャ1225、監視マネージャ1230、順序マネージャ1235、指示マネージャ1240、データベースマネージャ1245、報告マネージャ1250、およびセルマネージャ1255を含み得る。これらのモジュールの各々は、(たとえば、1つまたは複数のバスを介して)互いと直接的または間接的に通信し得る。
【０１６４】
周波数帯域マネージャ1220は、周波数内および周波数間探索ならびに測定手順中に、UEによって監視されるべき1つまたは複数の無線周波数スペクトル帯域リソースを識別し、周波数内および周波数間探索ならびに測定手順中に、監視されるべき1つまたは複数の無線周波数スペクトル帯域リソースを識別することができ、ここで、サブキャリア間隔を識別することは、1つまたは複数の無線周波数スペクトル帯域リソースを識別することに基づく。
【０１６５】
サブキャリア間隔マネージャ1225は、1つまたは複数の無線周波数スペクトル帯域リソースに関連付けられた、近隣セルによって送信された同期信号のサブキャリア間隔のセットを識別することであって、サブ6無線周波数スペクトル帯域中では、同期信号向けのサブキャリア間隔のセットは、15キロヘルツまたは30キロヘルツであり、mmW無線周波数スペクトル帯域中では、同期信号向けのサブキャリア間隔のセットは、120キロヘルツまたは240キロヘルツである、ことと、周波数内および周波数間探索ならびに測定手順を開始することと、周波数内および周波数間探索ならびに測定手順を開始したことに基づいて、同期信号の可能サブキャリア間隔のセットから、近隣セルによって送信された同期信号のサブキャリア間隔を識別することとを行い得る。いくつかのケースでは、サブキャリア間隔のセットは、無線周波数スペクトル帯域リソースの所与のセットについての2つの可能サブキャリア間隔のセットを含む。
【０１６６】
監視マネージャ1230は、サブキャリア間隔のセットの各々を使って、近隣セルの同期信号を監視することであって、サブキャリア間隔のセットの各々を監視することは、特定の同期信号に関連付けられたサブキャリア間隔についての指示を、基地局から受信できなかったことに基づく、ことと、識別されたサブキャリア間隔を使って、近隣セルの同期信号を監視することとを行い得る。
【０１６７】
順序マネージャ1235は、サブキャリア間隔のセットについての探索順序を判断することであって、同期信号を監視することは、探索順序で第1のサブキャリア間隔を使って同期信号を監視すること、および第1のサブキャリア間隔を使った後、探索順序で第2のサブキャリア間隔を使って同期信号を監視することを含む、ことと、事前構成された順序に基づいてサブキャリア間隔のセットから第1のサブキャリア間隔を識別することであって、探索順序を判断することは、事前構成された順序を使うことに基づく、こととを行い得る。
【０１６８】
指示マネージャ1240は、特定の同期信号に関連付けられたサブキャリア間隔を示す指示を、基地局から受信することであって、探索順序を判断することは、指示を受信することに基づく、ことと、同期信号のサブキャリア間隔の指示を基地局から受信することであって、サブキャリア間隔を識別することは、指示を受信することに基づく、こととを行い得る。
【０１６９】
データベースマネージャ1245は、UEによって記憶された、サブキャリア間隔のデータベースを使って、サブキャリア間隔のセットから第1のサブキャリア間隔を識別することであって、探索順序を判断することは、UEによって記憶された、サブキャリア間隔のデータベースを使うことに基づく、ことと、UEに接続されたセルによって送信された特定の同期信号のサブキャリア間隔を識別することと、セルのサブキャリア間隔を記憶することであって、近隣セルのサブキャリア間隔のセットを識別することは、サブキャリア間隔を記憶することに基づく、ことと、UE上に記憶された、サブキャリア間隔のデータベースを探索することであって、サブキャリア間隔を識別することは、近隣セルを識別することに基づく、こととを行い得る。
【０１７０】
報告マネージャ1250は、サブキャリア間隔のセットの各々を使って、同期信号を監視したことに基づいて、基地局へ測定報告を送信することができる。
【０１７１】
セルマネージャ1255は、周波数内および周波数間探索ならびに測定手順中に、監視されるべき近隣セルを識別することができ、ここで、サブキャリア間隔を識別することは、近隣セルを識別することに基づく。
【０１７２】
図13は、本開示の態様による、信号検出のためのサブキャリア間隔を選択するための技法をサポートするデバイス1305を含むシステム1300の図を示す。デバイス1305は、たとえば、図1〜図5を参照して本明細書で説明するようなUE115、215、315、415、515の構成要素の例であるか、またはそれらを含み得る。デバイス1305は、UE通信マネージャ1315と、プロセッサ1320と、メモリ1325と、ソフトウェア1330と、トランシーバ1335と、アンテナ1340と、I/Oコントローラ1345とを含む、通信を送信および受信するための構成要素を含む双方向音声およびデータ通信のための構成要素を含み得る。これらの構成要素は、1つまたは複数のバス(たとえば、バス1310)を介して電子通信し得る。デバイス1305は、1つまたは複数の基地局105とワイヤレス通信することができる。
【０１７３】
プロセッサ1320は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかのケースでは、プロセッサ1320は、メモリコントローラを使用してメモリアレイを動作させるように構成され得る。他のケースでは、メモリコントローラは、プロセッサ1320の中に統合されてよい。プロセッサ1320は、様々な機能(たとえば、信号検出のためのサブキャリア間隔を選択するための技法をサポートする機能またはタスク)を実施するために、メモリ内に記憶されたコンピュータ可読命令を実行するように構成され得る。
【０１７４】
メモリ1325はRAMおよびROMを含み得る。メモリ1325は、実行されると、プロセッサに、本明細書で説明する様々な機能を実施させる命令を含む、コンピュータ可読コンピュータ実行可能ソフトウェア1330を記憶し得る。いくつかのケースでは、メモリ1325は、特に、周辺構成要素または周辺デバイスとの相互作用など、基本的ハードウェアまたはソフトウェア動作を制御し得るBIOSを含み得る。
【０１７５】
ソフトウェア1330は、信号検出のためのサブキャリア間隔を選択するための技法をサポートするためのコードを含む、本開示の態様を実装するためのコードを含み得る。ソフトウェア1330は、システムメモリまたは他のメモリなど、非一時的コンピュータ可読媒体内に記憶され得る。いくつかのケースでは、ソフトウェア1330は、プロセッサによって直接実行可能でないことがあるが、(たとえば、コンパイルされ、実行されると)本明細書で説明する機能をコンピュータに実施させ得る。
【０１７６】
トランシーバ1335は、本明細書で説明するような1つまたは複数のアンテナ、ワイヤードリンク、またはワイヤレスリンクを介して双方向に通信することができる。たとえば、トランシーバ1335は、ワイヤレストランシーバを表すことがあり、別のワイヤレストランシーバと双方向に通信し得る。トランシーバ1335はまた、送信のためにパケットを変調するとともに被変調パケットをアンテナに提供し、またアンテナから受信されたパケットを復調するための、モデムを含み得る。
【０１７７】
いくつかのケースでは、ワイヤレスデバイスは、単一のアンテナ1340を含み得る。ただし、いくつかのケースでは、デバイスは複数のアンテナ1340を有することができ、複数のアンテナ1340は、複数のワイヤレス送信を並行して送信または受信することが可能であり得る。
【０１７８】
I/Oコントローラ1345は、デバイス1305に対する入力および出力の信号を管理し得る。I/Oコントローラ1345はまた、デバイス1305内に統合されない周辺機器を管理し得る。いくつかのケースでは、I/Oコントローラ1345は、外部周辺機器への物理接続またはポートを表し得る。いくつかのケースでは、I/Oコントローラ1345は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他のケースでは、I/Oコントローラ1345は、モデム、キーボード、マウス、タッチスクリーン、または同様のデバイスを表すか、またはそれらと対話し得る。いくつかのケースでは、I/Oコントローラ1345は、プロセッサの一部として実装され得る。いくつかのケースでは、ユーザは、I/Oコントローラ1345を介して、またはI/Oコントローラ1345によって制御されるハードウェア構成要素を介して、デバイス1305と対話することができる。
【０１７９】
図14は、本開示の態様による、信号検出のためのサブキャリア間隔を選択するための技法のための方法1400を示すフローチャートを示す。方法1400の動作は、本明細書で説明するような基地局105、205、210、305、310、405、410、505、510またはその構成要素によって実装され得る。たとえば、方法1400の動作は、図6〜図9を参照して説明したように、基地局通信マネージャによって実施されてよい。いくつかの例では、基地局105、205、210、305、310、405、410、505、510は、本明細書で説明する機能を実施するようにデバイスの機能要素を制御するためのコードのセットを実行することができる。追加または代替として、基地局105は、専用ハードウェアを使用して本明細書で説明する機能の態様を実施してよい。
【０１８０】
ブロック1405において、基地局105は、基地局に接続されたUE向けの周波数内および周波数間探索ならびに測定手順を開始し得る。ブロック1405の動作は、本明細書で説明する方法に従って実施され得る。いくつかの例では、ブロック1405の動作の態様は、図6〜図9を参照して説明したように、サブキャリア間隔マネージャによって実施されてよい。
【０１８１】
ブロック1410において、基地局105は、周波数内および周波数間探索ならびに測定手順を開始したことに少なくとも部分的に基づいて、近隣セルによって送信された同期信号のサブキャリア間隔を識別し得る。ブロック1410の動作は、本明細書で説明する方法に従って実施され得る。いくつかの例では、ブロック1410の動作の態様は、図6〜図9を参照して説明したように、サブキャリア間隔マネージャによって実施されてよい。
【０１８２】
ブロック1415において、基地局105は、同期信号のサブキャリア間隔の指示をUEへ送信し得る。ブロック1415の動作は、本明細書で説明する方法に従って実施され得る。特定の例では、ブロック1415の動作の態様は、図6〜図9を参照して説明したように、指示マネージャによって実施され得る。
【０１８３】
図15は、本開示の態様による、信号検出のためのサブキャリア間隔を選択するための技法のための方法1500を示すフローチャートを示す。方法1500の動作は、本明細書で説明するように、UE115、215、315、415、515またはその構成要素によって実装されてよい。たとえば、方法1500の動作は、図10〜図13を参照して説明したように、UE通信マネージャによって実施され得る。いくつかの例では、UE115、215、315、415、515は、本明細書で説明する機能を実施するようにデバイスの機能要素を制御するためのコードのセットを実行することができる。追加または代替として、UE115、215、315、415、515は、専用ハードウェアを使用して、本明細書で説明する機能の態様を実施し得る。
【０１８４】
ブロック1505において、UE115は、周波数内および周波数間探索ならびに測定手順中に、UEによって監視されるべき1つまたは複数の無線周波数スペクトル帯域リソースを識別し得る。ブロック1505の動作は、本明細書で説明する方法に従って実施され得る。いくつかの例では、ブロック1505の動作の態様は、図10〜図13を参照して説明したように、周波数帯域マネージャによって実施されてよい。
【０１８５】
ブロック1510において、UE115は、1つまたは複数の無線周波数スペクトル帯域リソースに関連付けられた、近隣セルによって送信された同期信号の複数のサブキャリア間隔を識別し得る。ブロック1510の動作は、本明細書で説明する方法に従って実施され得る。いくつかの例では、ブロック1510の動作の態様は、図10〜図13を参照して説明したように、サブキャリア間隔マネージャによって実施されてよい。
【０１８６】
ブロック1515において、UE115は、複数のサブキャリア間隔の各々を使って、近隣セルの同期信号を監視し得る。ブロック1515の動作は、本明細書で説明する方法に従って実施され得る。いくつかの例では、ブロック1515の動作の態様は、図10〜図13を参照して説明したように、監視マネージャによって実施されてよい。
【０１８７】
図16は、本開示の態様による、信号検出のためのサブキャリア間隔を選択するための技法のための方法1600を示すフローチャートを示す。方法1600の動作は、本明細書で説明するように、UE115、215、315、415、515またはその構成要素によって実装されてよい。たとえば、方法1600の動作は、図10〜図13を参照して説明したように、UE通信マネージャによって実施され得る。いくつかの例では、UE115、215、315、415、515は、本明細書で説明する機能を実施するようにデバイスの機能要素を制御するためのコードのセットを実行することができる。追加または代替として、UE115、215、315、415、515は、専用ハードウェアを使用して、本明細書で説明する機能の態様を実施し得る。
【０１８８】
ブロック1605において、UE115は、周波数内および周波数間探索ならびに測定手順を開始し得る。ブロック1605の動作は、本明細書で説明する方法に従って実施され得る。いくつかの例では、ブロック1605の動作の態様は、図10〜図13を参照して説明したように、サブキャリア間隔マネージャによって実施されてよい。
【０１８９】
ブロック1610において、UE115は、周波数内および周波数間探索ならびに測定手順を開始したことに少なくとも部分的に基づいて、同期信号の複数の可能サブキャリア間隔から、近隣セルによって送信された同期信号のサブキャリア間隔を識別し得る。ブロック1610の動作は、本明細書で説明する方法に従って実施され得る。いくつかの例では、ブロック1610の動作の態様は、図10〜図13を参照して説明したように、サブキャリア間隔マネージャによって実施されてよい。
【０１９０】
ブロック1615において、UE115は、識別されたサブキャリア間隔を使って、近隣セルの同期信号を監視し得る。ブロック1615の動作は、本明細書で説明する方法に従って実施され得る。いくつかの例では、ブロック1615の動作の態様は、図10〜図13を参照して説明したように、監視マネージャによって実施されてよい。
【０１９１】
本明細書で説明する方法は可能な実装形態を表すこと、動作およびステップが再構成されるかまたは場合によっては変更され得ること、ならびに他の実装形態が可能であることに留意されたい。さらに、方法のうちの2つまたはそれ以上からの態様が組み合わせられ得る。
【０１９２】
本明細書で説明する技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。CDMAシステムは、CDMA2000、ユニバーサル地上波無線アクセス(UTRA)などの無線技術を実装し得る。CDMA2000は、IS-2000、IS-95、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM(登録商標))などの無線技術を実装し得る。
【０１９３】
OFDMAシステムは、ウルトラモバイルブロードバンド(UMB)、発展型UTRA(E-UTRA)、米国電気電子技術者協会(IEEE)802.11(Wi-Fi)、IEEE 802.16(WiMAX)、IEEE 802.20、Flash-OFDMなどの無線技術を実装し得る。UTRAおよびE-UTRAは、ユニバーサル移動電気通信システム(UMTS)の一部である。LTEおよびLTE-AはE-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、本明細書で述べたシステムおよび無線技術ならびに他のシステムおよび無線技術のために使用されてよい。LTEまたはNRシステムの態様が例として説明され得、LTEまたはNR用語が説明の大部分において使用され得るが、本明細書で説明する技法は、LTEまたはNR適用例以外に適用可能である。
【０１９４】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられ得、スモールセルは、マクロセルと同じまたはマクロセルとは異なる(たとえば、認可、無認可など)周波数帯域において動作し得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連を有するUE115(たとえば、限定加入者グループ(CSG)中のUE115、自宅内のユーザのためのUE115など)による制限されたアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セルをサポートし得、1つまたは複数のコンポーネントキャリアを使用する通信もサポートし得る。
【０１９５】
本明細書で説明する1つまたは複数のワイヤレス通信システム100は、同期動作または非同期動作をサポートし得る。同期動作の場合、基地局105は、同様のフレームタイミングを有し得、異なる基地局105からの送信は、時間的にほぼ整合され得る。非同期動作の場合、基地局105は、異なるフレームタイミングを有し得、異なる基地局105からの送信は、時間的に整合されないことがある。本明細書で説明する技法は、同期動作または非同期動作のいずれかのために使用され得る。
【０１９６】
本明細書で説明する情報および信号は、多種多様な技術および技法のいずれかを使用して表され得る。たとえば、本説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０１９７】
本明細書の開示に関して説明する様々な例示的なブロックおよびモジュールは、汎用プロセッサ、DSP、ASIC、FPGAもしくは他のプログラマブル論理デバイス(PLD)、個別ゲートもしくはトランジスタ論理、個別ハードウェア構成要素、または本明細書で説明する機能を実施するように設計されたそれらの任意の組合せを用いて実装または実施されてよい。汎用プロセッサはマイクロプロセッサであってよいが、代替として、プロセッサは、任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装されてもよい。
【０１９８】
本明細書で説明する機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、本明細書で説明する機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置において物理的に位置し得る。
【０１９９】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の非一時的媒体を備え得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(DVD)(disc)、フロッピーディスク(disk)、およびBlu-ray(登録商標)ディスク(disc)を含み、ここで、ディスク(disk)は通常、データを磁気的に再生し、ディスク(disc)はレーザーを用いてデータを光学的に再生する。上記のものの組合せも、コンピュータ可読媒体の範囲内に含まれる。
【０２００】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づき得る。言い換えれば、本明細書で使用する「に基づいて」という句は、「に少なくとも部分的に基づいて」という句と同じように解釈されるべきである。
【０２０１】
添付の図面では、類似の構成要素または特徴は、同じ参照ラベルを有し得る。さらに、同じタイプの様々な構成要素が、参照ラベルの後に、ダッシュおよび類似の構成要素を区別する第2のラベルを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２０２】
添付の図面に関して本明細書に記載された説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明する例の概念を不明瞭にすることを回避するために、よく知られている構造およびデバイスがブロック図の形態で示される。
【０２０３】
本明細書における説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明する例および設計に限定されず、本明細書で開示する原理および新規の特徴に合致する最も広い範囲を与えられるべきである。
【符号の説明】
【０２０４】
100  ワイヤレス通信システム
105  基地局
110  地理的カバレージエリア
115  UE
125  通信リンク
130  コアネットワーク
132  バックホールリンク
134  バックホールリンク
200  ワイヤレス通信システム
205  第1の基地局
210  第2の基地局
215  UE
305  被接続基地局、基地局
310  近隣基地局
315  UE
405  被接続基地局
410  近隣基地局
415  UE
505  被接続基地局
510  近隣基地局
515  UE
605  ワイヤレスデバイス
610  受信機
615  基地局通信マネージャ
620  送信機
705  ワイヤレスデバイス
710  受信機
715  基地局通信マネージャ
720  送信機
725  サブキャリア間隔マネージャ
730  指示マネージャ
815  基地局通信マネージャ
820  サブキャリア間隔マネージャ
825  指示マネージャ
830  周波数帯域マネージャ
835  セルマネージャ
840  データベースマネージャ
900  システム
905  デバイス
910  バス
915  基地局通信マネージャ
920  プロセッサ
925  メモリ
930  ソフトウェア
935  トランシーバ
940  アンテナ
945  ネットワーク通信マネージャ
950  局間通信マネージャ
1005  ワイヤレスデバイス
1010  受信機
1015  UE通信マネージャ
1020  送信機
1105  ワイヤレスデバイス
1110  受信機
1115  UE通信マネージャ
1120  送信機
1125  周波数帯域マネージャ
1130  サブキャリア間隔マネージャ
1135  監視マネージャ
1215  UE通信マネージャ
1220  周波数帯域マネージャ
1225  サブキャリア間隔マネージャ
1230  監視マネージャ
1235  順序マネージャ
1240  指示マネージャ
1245  データベースマネージャ
1250  報告マネージャ
1255  セルマネージャ
1305  デバイス
1310  バス
1315  UE通信マネージャ
1320  プロセッサ
1325  メモリ
1330  ソフトウェア
1335  トランシーバ
1340  アンテナ
1345  I/Oコントローラ
【図１】
2020533864.tif 000003
【図２】
2020533864.tif 000004
【図３】
2020533864.tif 000005
【図４】
2020533864.tif 000006
【図５】
2020533864.tif 000007
【図６】
2020533864.tif 000008
【図７】
2020533864.tif 000009
【図８】
2020533864.tif 000010
【図９】
2020533864.tif 000011
【図１０】
2020533864.tif 000012
【図１１】
2020533864.tif 000013
【図１２】
2020533864.tif 000014
【図１３】
2020533864.tif 000015
【図１４】
2020533864.tif 000016
【図１５】
2020533864.tif 000017
【図１６】
2020533864.tif 000018
【国際調査報告】
2020533864.tif 000019
2020533864.tif 000020